(57)【特許請求の範囲】
【請求項１】
カメラと通信可能なアクセサリーであって、
複数の端子を有する端子部を備え、
前記複数の端子は、
前記カメラに装着されているときに、前記カメラとの間で電気的に接続する複数のカメラ用端子と、
前記アクセサリーの検査に用いられる検査用端子と、を含み、
前記検査用端子は、
前記複数のカメラ用端子のうちの少なくとも何れかの２つの端子の間に、前記複数のカメラ用端子の配列方向に沿って配置される
ことを特徴とするアクセサリー。
【請求項２】
前記複数のカメラ用端子は、
前記アクセサリーに関する情報を含むデータ信号を前記カメラに対して出力するデータ信号端子と、
前記アクセサリーが起動可能な状態であることを示す検出レベルを、前記カメラに提供する起動状態提供端子と、
前記アクセサリーが制御される制御信号が入力される信号入力端子と、
前記カメラとの間で前記データ信号を通信するタイミングを定める通信制御信号が前記カメラから入力される通信制御信号端子と、
を含み、
前記検査用端子は、
前記データ信号端子、前記起動状態提供端子、前記信号入力端子、及び、前記通信制御信号端子のうちの少なくとも何れか２つの端子の間に配置される
ことを特徴とする請求項１に記載のアクセサリー。
【請求項３】
前記検査用端子は、
前記データ信号端子、前記起動状態提供端子、前記信号入力端子、及び、前記通信制御信号端子のうちの少なくとも何れか２つの端子と隣り合って配置される
ことを特徴とする請求項２に記載のアクセサリー。
【請求項４】
前記検査用端子は、
前記データ信号端子、前記起動状態提供端子、前記信号入力端子、及び、前記通信制御信号端子のうちの少なくとも何れか２つの端子に挟まれて配置される
ことを特徴とする請求項２又は請求項３に記載のアクセサリー。
【請求項５】
前記複数のカメラ用端子は、
前記端子の配列方向に沿って、前記データ信号端子、前記起動状態提供端子、前記信号入力端子、及び、前記通信制御信号端子の順に並べて配置される
ことを特徴とする請求項２から請求項４の何れか一項に記載のアクセサリー。
【請求項６】
前記検査用端子は、
前記検査時に検査用設定信号の入力端子、検査信号の入力端子、及び、検査結果の出力端子の何れかとして用いられる
ことを特徴とする請求項１から請求項５の何れか一項に記載のアクセサリー。
【請求項７】
前記検査用端子は、
前記アクセサリーの検査時に用いられる
ことを特徴とする請求項１から請求項６の何れか一項に記載のアクセサリー。
【請求項８】
前記複数のカメラ用端子は、
前記アクセサリーの状態を起動可能な状態に遷移させる信号に対応させて設けられた信号端子と、
前記カメラから電力が供給される電源端子と、
前記電源端子に対応する接地端子と、
を含み、
前記検査用端子は、
前記信号端子、前記電源端子、及び、前記接地端子のうちの何れかの端子の隣りに配置される
ことを特徴とする請求項１から請求項７の何れか一項に記載のアクセサリー。
【発明の詳細な説明】
【技術分野】
【０００１】
本発明は、アクセサリーに関する。
【背景技術】
【０００２】
カメラは、閃光装置等のアクセサリーとともに使用されることがある（例えば、特許文献１参照）。アクセサリーは、カメラのアクセサリーシュー（シュー座、ホットシュー等ともよばれる）に接続されて、使用される。アクセサリーシューは、アクセサリーを制御する制御信号をアクセサリーへ出力する端子を有する。カメラは、アクセサリーシューの端子を介してアクセサリーに制御信号を送信し、アクセサリーを制御することができる。
【先行技術文献】
【特許文献】
【０００３】
【特許文献１】米国特許出願公開第２０１０／０３２９３０２号明細書
【発明の概要】
【発明が解決しようとする課題】
【０００４】
カメラ及びアクセサリーを備えるカメラシステムにおいては、誤作動のないことが期待される。例えばユーザーの操作に応答しないことや応答が遅いこと等があると、そのシステムの使い勝手が悪くなる。本発明は、上記の事情に鑑み成されたものであって、誤作動がなく利便性の高いアクセサリーを提供することを目的とする。
【課題を解決するための手段】
【０００５】
本発明の一実施態様のアクセサリーは、カメラと通信可能なアクセサリーであって、複数の端子を有する端子部を備え、前記複数の端子は、前記カメラに装着されているときに、前記カメラとの間で電気的に接続する複数のカメラ用端子と、前記アクセサリーの検査に用いられる検査用端子と、を含み、前記検査用端子は、  前記複数のカメラ用端子のうちの少なくとも何れかの２つの端子の間に、前記複数のカメラ用端子の配列方向に沿って配置されることを特徴とする。
【発明の効果】
【０００６】
本発明によれば、誤作動がなく利便性の高いアクセサリーを提供することができる。
【図面の簡単な説明】
【０００７】
【図１】本発明の第１実施形態のカメラシステムの外観を示す図である。
【図２】本実施形態のカメラシステムを図１とは反対側から見た図である。
【図３】本実施形態のアクセサリーシューの外観を示す図である。
【図４】本実施形態のアクセサリーシューを示す図である。
【図５】本実施形態のコネクターの外観を示す図である。
【図６】本実施形態のカメラシステムの機能構成を示すブロック図である。
【図７】本実施形態のアクセサリーの構成、及びアクセサリーとカメラとの接続関係を示す図である。
【図８】検査信号端子Ｔｓ７ｔ〜Ｔｓ９ｔの配列を示す図である。
【図９】本実施形態における検査システムの構成を示すブロック図である。
【図１０】検査信号端子Ｔｐ７ｔ〜Ｔｐ９ｔの配列を示す図である。
【発明を実施するための形態】
【０００８】
本実施形態について説明する。以下の説明において、同様の構成要素については、同じ符号を付してその説明を簡略化あるいは省略することがある。
【０００９】
図１は、本実施形態のカメラシステム１の外観を示す図である。図２は、本実施形態のカメラシステム１を図１とは反対側から見た図である。
【００１０】
図１及び図２に示すカメラシステム１は、カメラ１０（カメラボディ１００及び撮影レンズ２００）及びアクセサリー４００を備える。本実施形態のアクセサリー４００は、発光機能を有し、被写体を照らすことができる。カメラ１０は、アクセサリー４００と通信して、アクセサリー４００を制御することができる。カメラシステム１は、例えば、アクセサリー４００によって被写体を照らしながら、カメラ１０によって被写体の像を撮像することができる。
【００１１】
図１に示すように、カメラ１０は、カメラボディ１００及び撮影レンズ（交換レンズ）２００を備える。カメラボディ１００は、撮影レンズ２００を取り付け可能なレンズマウント１１を備える。なお、撮影レンズ２００は、カメラボディ１００とマウントするためのレンズ側マウント（不図示）を備えている。撮影レンズ２００はそのレンズ側マウントを介して、レンズマウント１１に対して着脱可能である。カメラボディ１００は、レンズマウント１１が配置されている正面１２に対して側方を向く側面のうち上部に配置された頂面（上面）１３と、正面１２とは反対側に配置された背面１４とを有する。
【００１２】
カメラボディ１００は、それぞれ頂面１３に配置された、レリーズ釦１６、アクセサリーシュー（以下、シュー座１５という）、及び電源スイッチ３１を備える。カメラ１０は、レリーズ釦１６が押下されたことを検出して、撮像処理等の各種処理を行う。シュー座１５は、アクセサリー４００を取り付け可能なように、構成されている。電源スイッチ３１は、カメラボディ１００のオン状態とオフ状態とを切り替えるスイッチである。
【００１３】
本実施形態において、図１等に示すＸＹＺ直交座標系を設定し、構成要素の位置関係等を説明することがある。このＸＹＺ直交座標系において、Ｙ軸方向は、撮影レンズ２００の光軸とほぼ平行な方向である。このＸＹＺ直交座標系において、Ｘ軸方向及びＺ軸方向は、それぞれＹ軸方向と直交し、かつ互いに直交する方向である。正面１２及び背面１４は、それぞれ、Ｙ軸方向とほぼ直交している。頂面１３は、Ｚ軸方向とほぼ直交している。
【００１４】
アクセサリー４００は、アクセサリー本体４１０、コネクター４２０、及び発光部４２５を備える。発光部４２５は、それぞれ光を射出する射出面を備えた閃光発光部４３０及び照明光発光部４３５を備える。アクセサリー本体４１０は、照明光発光部４３５及び各種電気部品などを収容している。コネクター４２０は、アクセサリー本体４１０の下方に設けられている。コネクター４２０は、カメラボディ１００のシュー座１５に対して着脱可能である。アクセサリー４００は、コネクター４２０がシュー座１５に装着されることによって、カメラボディ１００に装着されてカメラボディ１００に対して固定される。閃光発光部４３０は、アクセサリー本体４１０に対してコネクター４２０とは反対側（上方）に設けられている。閃光発光部４３０は、アクセサリー４００がカメラボディ１００に取り付けられた状態で且つ閃光発光部４３０の射出面がカメラボディ１００の正面１２側（＋Ｙ方向側）の方向を向いている場合には、撮影レンズ２００の光軸とほぼ平行な方向に閃光照明光（Ｘｅ管からの閃光発光）を発することができる。閃光発光部４３０はその射出面の向き（姿勢）を、アクセサリー本体４１０に対して変化（姿勢変化）できるように設けられている。例えば、閃光発光部４３０の射出面を、アクセサリー本体４１０の上方（＋Ｚ側）に向けて閃光照明光を発することもできる。一方、照明光発光部４３５は、アクセサリー４００がカメラボディ１００に取り付けられた状態で、カメラボディ１００の正面１２側（＋Ｙ側）に向けて（撮影レンズ２００の光軸とほぼ平行な方向に）連続照明光（例えばＬＥＤ照明光）を発することができる。
【００１５】
図２に示すように、カメラボディ１００は、背面１４に配置された表示部１０２と、背面１４に配置された設定スイッチ１０４とを備える。表示部１０２は、液晶表示素子や有機エレクトロルミネッセンス表示素子等の表示素子を備える。表示部１０２は、撮像される画像、各種設定を示す画像、アクセサリー４００の状態を示す画像、撮像条件を示す画像等を表示することができる。設定スイッチ１０４は、カメラ１０とアクセサリー４００の各種設定項目を変更するためのユーザーからの入力を、受け付けることができる。各種設定項目は、ズーム倍率設定、撮影モード設定、ホワイトバランス設定、露光時間設定、表示切り替え設定のうちの少なくとも１つを含む。撮影モード設定は、例えば、オートモード設定又はマニュアルモード設定である。
【００１６】
図２に示すように、アクセサリー４００は、第１操作部４２４を備える。第１操作部４２４は、アクセサリー４００をカメラボディ１００から取り外すために、ユーザーによって操作される操作部材である。
【００１７】
図３は、本実施形態のシュー座１５の外観を示す図である。図４は、シュー座１５を図３の上から(図３の天板部２２から−Ｚ軸方向に)、部分的に透過して見た平面図である。
【００１８】
シュー座１５は、底板部２１、天板部２２、底板部２１と天板部２２との間に配置された側板部２３、底板部２１と天板部２２との間に配置された開口２４、及び底板部２１に配置された端子部２５を備える。
【００１９】
底板部２１は、図１に示したカメラボディ１００の頂面１３に取付けられている。底板部２１は、カメラボディ１００の頂面１３に取付けるのに用いられる取り付け孔２６と、アクセサリー４００を係止するのに用いられる係止孔２７とを有する。底板部２１は、取り付け孔２６の内側に配置されるネジ等によって、カメラボディ１００の頂面１３に固定される。本実施形態において、＋Ｚ軸方向を「上方」ということがある。
【００２０】
天板部２２は、上方（Ｚ軸方向）から見た平面形状がほぼＵ字形状である。天板部２２は、上方（Ｚ軸方向）から見て側板部２３よりも内側に張出している。側板部２３は、開口２４から所定の方向（Ｙ軸方向）に延びる一対の内壁を有する。側板部２３の一対の内壁は、内壁の延在方向（Ｙ軸方向）に直交する方向（Ｘ軸方向）にて、互いに向かい合って配置されている。
【００２１】
開口２４は、底板部２１から天板部２２へ向かう方向（Ｚ軸方向）に対して交差する方向に向って、開いている。開口２４は、側板部２３の内壁の延在方向（Ｙ軸方向）にほぼ平行な方向に向って、開いている。開口２４は、コネクター４２０を挿入することができるように、寸法及び形状が設定されている。
【００２２】
端子部２５は、図４において符号Ｔｐ１からＴｐ１２で示される複数（１２個）の端子を有する。端子部２５の複数の端子は、それぞれ、側板部２３の内壁の延在方向（Ｙ軸方向）にほぼ平行な方向に、延びている。端子部２５の複数の端子は、側板部２３の内壁の延在方向に対して直交する方向（Ｘ軸方向）に並んで配設されている。端子部２５の端子は、上方から見て、天板部２２に一部重なる（覆われる）領域に配置されている。
【００２３】
複数の端子のうちの少なくとも１つの端子は、他の端子とＹ軸方向の長さが異なっていてもよい。例えば、本実施形態において、符号Ｔｐ１からＴｐ１２で示される１２個の端子は全て、＋Ｙ側の端部の位置が揃っている。その一方で符号Ｔｐ１からＴｐ３で示す３つの端子の長さは、符号Ｔｐ４からＴｐ１２で示される端子よりも−Ｙ軸方向に長い。すなわち、本実施形態において、符号Ｔｐ１からＴｐ３で示す３つの端子は、他の端子よりも−Ｙ側に突出している。後述するようにＴｐ１からＴｐ３はいわゆるグランド端子となっている。これらグランド端子を他端子よりも長い端子構成にした理由は後述する。
【００２４】
アクセサリー４００は、シュー座１５の開口２４にコネクター４２０を挿入して所定の方向（＋Ｙ軸方向）にスライド移動させることによって、シュー座１５に取付けられる（図１参照）。
【００２５】
図５は、本実施形態のコネクター４２０の外観を示す図である。コネクター４２０は、底部４２１と、底部４２１からコネクター４２０の外部に向って突出する可動部材（以下、係止爪４２２という）と、底部４２１に設けられた端子部４２３とを備える。
【００２６】
底部４２１は、コネクター４２０がシュー座１５に取付けられた状態で、シュー座１５の底板部２１と接触する。係止爪４２２は、所定の方向に進退（移動）できるように、設けられている。本実施形態において、係止爪４２２が進退する所定の方向は、係止爪４２２が底部４２１から突出する方向（Ｚ軸方向）である。係止爪４２２は、底部４２１から突出する位置と、アクセサリー４００の内部に収容される位置との間で、移動可能である。係止爪４２２は、底部４２１からコネクター４２０の外部へ突出する側（−Ｚ側）に押されるように、バネ等で付勢されている。係止爪４２２は、コネクター４２０がシュー座１５に取付けられる際にコネクター４２０がスライド移動されるにつれて、シュー座１５の底板部２１に押されて（力を受けて）＋Ｚ側に退避した後に、係止孔２７の形成位置で係止孔２７内に進出する。これにより、コネクター４２０は、係止爪４２２がシュー座１５の係止孔２７の内周面と係止され、スライド方向（Ｙ軸方向）においてシュー座１５に対する移動が規制される。
【００２７】
コネクター４２０は、開口２４に挿入された状態で、底板部２１と天板部２２との間に配置され、底板部２１から天板部２２に向う方向においてシュー座１５に対する移動が規制される。コネクター４２０は、開口２４に挿入された状態で、側板部２３の一対の内壁の間に配置され、側板部２３の一方の内壁から他方の内壁に向う方向（Ｘ軸方向）においてシュー座１５に対する移動が規制される。
【００２８】
第１操作部４２４（図２参照）は、係止爪４２２を所定の方向に移動させるために、ユーザーによって操作可能な操作部材である。本実施形態の第１操作部４２４は、アクセサリー本体４１０の背面側に設けられている。第１操作部４２４は、ユーザーの操作により受ける力を係止爪４２２に伝えるリンク機構を備える。係止爪４２２は、操作部４２４のリンク機構から受ける力によって、所定の方向（図５の＋Ｚ軸方向）に移動する。つまり係止爪４２２は、図３に示した係止孔２７に係止されている状態で操作部４２４が操作された場合に、係止孔２７の内側から退避するように＋Ｚ側に移動する。これにより、アクセサリー４００は、カメラボディ１００に対する位置の規制が解除され、カメラボディ１００から取り外すことが可能な状態になる。
【００２９】
端子部４２３は、符号Ｔｓ１からＴｓ１２で示される複数（１２個）の端子を有する。端子部４２３が有する端子の数は、シュー座１５の端子部２５が有する端子の数と同じである。端子部４２３が有する複数の端子は、それぞれ、シュー座１５の端子部２５が有する複数の端子のいずれかと１対１で対応している。端子部４２３が有する複数の端子は、それぞれ、コネクター４２０がシュー座１５に接続された状態で、シュー座１５の端子部２５が有する複数の端子のうちの対応関係にある端子と接触して電気的に接続される。
【００３０】
図６は、本実施形態のカメラシステムの機能構成を示すブロック図である。図６に示すように、撮影レンズ２００は、光学系２１０、光学系駆動部２２０、及び光学系制御部２３０を含む。被写体から撮影レンズ２００へ入射した光は、光学系２１０を通ってカメラボディ１００の撮像素子１２１の受光面へ入射する。
【００３１】
光学系２１０は、レンズや絞り等の複数の光学部品、及び複数の光学部品を収容するレンズ鏡筒等を備える。光学系２１０は、カメラボディ１００の外部から入射した光を結像させることができる。
【００３２】
光学系駆動部２２０は、光学系２１０を駆動するアクチュエータ、光学系２１０における光学部品の位置を検出するエンコーダ、及び手振れ等による光学系２１０の移動（併進移動と回転移動の少なくとも一方）を検出するセンサーを備える。光学系駆動部２２０のアクチュエータは、例えば、フォーカシング制御用モータ、パワーズーム制御用モータ、絞り開口制御用モータ、手ブレ補正（Ｖｉｂｒａｔｉｏｎ  Ｒｅｄｕｃｔｉｏｎ；ＶＲ）制御用モータ、伸筒・縮筒制御用モータを含む。
【００３３】
光学系駆動部２２０は、光学系制御部２３０からの制御指令に従って光学系駆動部２２０のアクチュエータを動作させることによって、フォーカシング制御、ズーミング制御、露出制御、ＶＲ制御、及び撮影レンズ２００の伸縮制御を行うことができる。フォーカシング制御は、光学系２１０が有するレンズ等の光学部品の少なくとも１つをフォーカシング制御用モータによって光軸方向に移動して、光学系２１０の焦点を調整する制御である。ズーミング制御は、光学系２１０が有するレンズ等の光学部品の少なくとも１つをパワーズーム制御用モータによって光軸方向に移動して、撮像画角を変更する制御である。露出制御は、光学系２１０を構成する絞りを絞り開口制御用モータにより駆動して、絞りの開口サイズを変化させることによって、光学系２１０を通って撮像素子１２１へ入射する光の光量等を調整する制御である。ＶＲ制御は、光学系２１０が有するレンズ等の光学部品の少なくとも１つをＶＲ制御用モータによって光軸と交差する方向に移動して、手ブレによる像揺れを補正する制御である。伸縮制御は、伸筒・縮筒制御用モータを駆動することによって、撮影レンズ２００を光軸方向に伸筒又は縮筒させる制御である。
【００３４】
光学系駆動部２２０は、カメラボディ１００の電池収納部１１０に収納された電池ＢＡＴから電力が供給される。光学系駆動部２２０は、カメラボディ１００のレンズマウント１１に配置された端子を介して、電池ＢＡＴから電力が供給される。光学系駆動部２２０を構成するアクチュエータ、エンコーダ、及びセンサーは、電池ＢＡＴから供給される電力によって動作する。
【００３５】
光学系制御部２３０は、カメラボディ１００のレンズマウント１１に配置された端子を介して、カメラボディ１００のカメラ制御部１７０（後述する）と通信することができる。光学系制御部２３０は、光学系駆動部２２０のエンコーダの検出結果を示す情報及びセンサーの検出結果を示す情報を、カメラ制御部１７０に供給することができる。光学系制御部２３０からカメラ制御部１７０に供給される情報は、撮影レンズ２００の種類を示すレンズ種類情報、レンズ焦点距離情報、露出制御によって設定された絞り値、フォーカシング制御により設定された被写体焦点距離情報、消費電力情報等を含む。消費電力情報は、駆動状態に消費する消費電力を示し、レンズ種類情報や、駆動されている状態に応じて変化する情報である。
【００３６】
アクセサリー４００は、閃光発光部４３０、照明光発光部４３５、アクセサリー制御部４４０、及び不揮発性メモリー４４５を含む。照明光発光部４３５、アクセサリー制御部４４０、及び不揮発性メモリー４４５は、例えば、図１及び図２に示したアクセサリー本体４１０に収容されている。アクセサリー４００の詳細については、後述する。
【００３７】
カメラボディ１００は、電池収納部１１０、撮像処理部１２０、シャッター駆動部１３０、表示部制御回路１３５、メモリー１４０、メモリー制御回路１４５、入力部１５０、操作検出回路１５５、記憶部１５８、及びカメラ制御部１７０を備える。
【００３８】
電池収納部１１０は、一次電池や二次電池等の電池ＢＡＴを収納することができる。電池ＢＡＴは、電池収納部１１０に収納されることによって、カメラボディ１００に搭載される。電池収納部１１０に収納された電池ＢＡＴは、カメラシステム１の構成要素、例えば表示部１０２や撮影レンズ２００、アクセサリー４００等の動作に必要な電力（ＰＷＲ）を供給することができる。
【００３９】
撮像処理部１２０は、撮像素子１２１、撮像素子制御回路１２２、及び画像回路１２３を備える。撮像素子１２１は、二次元的に配列された複数の画素を備える。撮像素子１２１の各画素は、ＣＣＤ（Ｃｈａｒｇｅ  Ｃｏｕｐｌｅｄ  ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の受光素子を備える。撮像素子１２１の受光素子は、光学系２１０から各画素へ入射した光の光量に応じた電荷を発生する。撮像素子１２１は、各画素に入射した光により受光素子に発生した電荷を信号に変換する。撮像素子１２１は、光学系２１０を介して撮像素子１２１の受光面に形成された像（光学像）に応じたアナログの画像信号を生成する。撮像素子１２１は、撮像素子制御回路１２２と画像回路１２３のそれぞれに接続されている。画像回路１２３は、撮像素子１２１から出力された画像信号を増幅し、アナログの画像信号をデジタル信号に変換する。撮像素子制御回路１２２は、撮像素子１２１を制御して、像に応じた画像信号を撮像素子１２１に生成させることや、生成した画像信号を出力させること等ができる。
【００４０】
シャッター駆動部１３０は、カメラボディ１００に収容されているシャッターの開閉を制御する。このシャッターは、光学系２１０を通って撮像素子１２１の受光面へ入射してくる光を、シャッターが閉じた状態で遮光する。なお、カメラボディ１００に露出制御用のシャッター機構が搭載されていない場合には、このシャッター駆動部１３０も不要である。
【００４１】
表示部制御回路１３５は、例えば、表示部１０２の点灯や明るさ調整、消灯等の表示制御や、カメラ制御部１７０から出力される画像データを表示部１０２に表示させる処理を行う。
【００４２】
メモリー１４０は、例えば、メモリーカード等のようにカメラボディ１００から抜き差し可能な記憶媒体である。メモリー１４０は、例えば、カメラ制御部１７０によって生成される画像データ等を記憶する。メモリー制御回路１４５は、カメラ制御部１７０とメモリー１４０との間の情報の入出力を制御する。メモリー制御回路１４５は、例えば、カメラ制御部１７０によって生成された画像データ等の情報をメモリー１４０に記憶させる処理や、メモリー１４０に記憶されている画像データ等の情報を読み出してカメラ制御部１７０に出力する処理等を行う。
【００４３】
入力部１５０は、ユーザーが操作することが可能な設定スイッチ１０４及びレリーズ釦１６を備える。操作検出回路１５５は、入力部１５０に入力されたユーザーの操作を検出する。操作検出回路１５５は、入力部１５０に入力されたユーザーの操作を示す操作情報を生成し、生成した操作情報をカメラ制御部１７０に出力する。
【００４４】
記憶部１５８は、不揮発性メモリー１６０及びバッファメモリー１６５を備える。不揮発性メモリー１６０は、カメラ制御部１７０を動作させるプログラムや、撮像により生成された画像データ、装置の状態を示す情報、カメラシステム１の各負荷部の消費電力を示す情報、ユーザーから入力された各種設定や撮像条件等の情報を記憶する。装置の状態を示す情報は、カメラボディ１００の電池収納部１１０に収納された電池ＢＡＴの電圧情報（電池残量）、撮影レンズ２００の各アクチュエータの制御状態を示す情報等を含む。カメラシステム１の各負荷部の消費電力を示す情報は、シャッター駆動部１３０で消費される（動作に必要な）電力、撮影レンズ２００のアクチュエータで消費される（動作に必要な）電力、アクセサリー４００で消費される(動作に必要な)電力等を含む。バッファメモリー１６５は、カメラ制御部１７０の制御処理に用いられる一時的な情報の記憶部である。カメラ制御部１７０は、例えば、撮像素子１２１から出力される画像信号や、画像信号に応じて生成された画像データ等をバッファメモリー１６５に一時的に記憶させる。
【００４５】
カメラ制御部１７０は、不揮発性メモリー１６０に記憶されたプログラムに基づいてカメラボディ１００の構成要素の動作を制御するＣＰＵ（Ｃｅｎｔｒａｌ  Ｐｒｏｃｅｓｓｉｎｇ  Ｕｎｉｔ）と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の電子部品とを備える。カメラ制御部１７０は、例えば、操作検出回路１５５がカメラ制御部１７０に出力した操作情報に応じて、カメラボディ１００への電源の投入や、光学系駆動部２２０を介した光学系２１０の駆動制御、撮像素子制御回路１２２を介した撮像素子１２１の駆動制御、表示部制御回路１３５を介した表示部１０２の表示制御、画像回路１２３に出力された画像信号に対する処理の制御等を行う。
【００４６】
カメラ制御部１７０は、画像処理部１７１、表示制御部１７２、撮像制御部１７３、操作検出処理部１７４、電力制御部１７５、及び通信部１７６を含む。
【００４７】
画像処理部１７１は、画像回路１２３から出力された画像信号に基づいて、画像データを生成する画像処理を行う。画像処理部１７１は、画像処理により生成した画像データをバッファメモリー１６５に記憶させる。
【００４８】
表示制御部１７２は、画像処理部１７１によって生成されバッファメモリー１６５に記憶された画像データを一定時間間隔ごとに読み出し、読み出した画像データを表示部１０２に繰り返し表示させる。また、表示制御部１７２は、画像処理部１７１によって生成されバッファメモリー１６５に記憶された画像データを一定時間間隔ごとに読み出し、動画形式のデータ（動画データ）としてメモリー１４０に記録させる。また、表示制御部１７２は、後述する電力制御部１７５の判定結果に応じて、電池ＢＡＴの充電残量を表示部１０２に表示させる。
【００４９】
操作検出処理部１７４は、操作検出回路１５５が出力した操作情報に基づいて操作検出回路１５５が検出したユーザーの操作を判定し、判定した情報をバッファメモリー１６５に記憶させる。操作検出処理部１７４は、ユーザーからの操作に応じた各種処理の制御指令を、操作に対応する処理を実行する構成要素（機能部）に出力する。操作検出処理部１７４は、例えば撮像処理の実行を要求する旨の入力部１５０への入力を操作検出回路１５５が検出した場合に、操作検出回路１５５が操作検出処理部１７４に出力した操作情報に基づいて、撮像処理の実行を要求する制御指令を撮像制御部１７３に出力する。また、操作検出処理部１７４は、例えばオートフォーカス（ＡＦ）処理の実行を要求する旨の入力部１５０への入力を操作検出回路１５５が検出した場合に、操作検出回路１５５が操作検出処理部１７４に出力した操作情報に基づいて、ＡＦ処理の実行を要求する制御指令を出力する。ＡＦ処理において、光学系制御部２３０は、操作検出処理部１７４が出力した制御指令に基づいて、光学系２１０を介して撮像素子１２１で検出された画像を利用した測距結果を参照しつつ、光学系駆動部２２０のフォーカシング制御用モータを制御して、例えばユーザーが指定した被写体にピントが合うように、光学系２１０の焦点を調整する。
【００５０】
撮像制御部１７３は、操作検出回路１５５が出力した制御指令に基づいて、カメラシステム１の構成要素に撮像処理を実行させるための制御信号を、カメラシステム１の構成要素に出力する。撮像制御部１７３は、撮像処理に関連する処理として、例えば以下のような処理を実行させる。撮像処理において、撮像制御部１７３は、予めユーザーから入力された撮像条件に応じて、光学系制御部２３０を介して光学系２１０のフォーカシング制御、露出制御、ズーミング制御、ＶＲ制御等の制御を行う。また、撮像制御部１７３は、撮像処理において、シャッター駆動部１３０を制御することによって、シャッターが開いている時間（露光時間）を制御し、撮像素子１２１の受光面に光学系２１０からの光を露光時間だけ照射させる。また、撮像制御部１７３は、必要に応じて、アクセサリー４００を制御して、撮影タイミングに同期させてアクセサリー４００から光を照射させる。
【００５１】
電力制御部１７５は、電池ＢＡＴから出力される電源電圧を検出した結果と判定閾値とを比較することにより、電池ＢＡＴにおける電力の残量を判定する。また、電力制御部１７５は、カメラシステム１の各負荷部の消費電力を示す情報を収集し、カメラシステム１の各負荷部の消費電力を監視する。
【００５２】
通信部１７６は、カメラボディ１００の内部の各負荷部を制御する負荷制御部と通信可能に接続される。カメラボディ１００の内部の負荷部は、例えば表示部１０２等であり、負荷制御部は、例えば表示部制御回路１３５等である。また、通信部１７６は、カメラシステム１のうちカメラボディ１００の外部に配置される外部装置に対して、各外部装置の制御部と通信可能な状態で接続される。本実施形態の撮影レンズ２００は、外部装置の１つであり、光学系制御部２３０が通信部１７６と通信可能に接続される。また、本実施形態のアクセサリー４００は、外部装置の１つであり、アクセサリー制御部４４０が通信部１７６と通信可能に接続される。
【００５３】
図７は、本実施形態のアクセサリー４００の構成、及びアクセサリー４００とカメラ１０(上述したカメラボディ１００及び撮影レンズ２００)との接続関係を示す図である。
【００５４】
まず、カメラ１０について説明する。カメラ１０は、負荷部３０、電源スイッチ３１、電源部３２、及びアクセサリー電源制御部３３を備える。
【００５５】
負荷部３０は、既述のシャッター駆動部１３０や表示部１０２等のようにカメラボディ１００の負荷部と、光学系駆動部２２０や光学系制御部２３０等のようにカメラボディ１００の外部の負荷部とを含む。負荷部３０は、消費電力が大きい重負荷部と、重負荷部よりも相対的に消費電力が小さい軽負荷部とを含む。重負荷部は、例えば光学系駆動部２２０やカメラボディ１００におけるシャッター駆動部１３０等のように、アクチュエータを有する負荷部を含む。軽負荷部は、光学系制御部２３０や画像処理部１７１、各制御回路、表示部等を含む。
【００５６】
電源スイッチ３１は、電池ＢＡＴから負荷部３０の重負荷部への電力の供給を遮断するスイッチである。
【００５７】
電源部３２は、電池ＢＡＴから供給される電力に基づいて、電池ＢＡＴの出力電圧を安定化して負荷部３０の軽負荷部及びカメラ制御部１７０に供給する。電源部３２は、電池ＢＡＴの出力電圧を検出する電圧検出センサーと、電池ＢＡＴの出力電圧を安定化する定電圧回路とを備える。
【００５８】
アクセサリー電源制御部３３は、第１端子、第２端子、及び制御端子を備える。アクセサリー電源制御部３３は、制御端子に入力される制御信号に応じて、第１端子と第２端子の間を導通状態にするか否かを切り替えるスイッチである。本実施形態の説明において、スイッチが自身の端子間を導通状態にすることを「回路を閉路する」と呼び、スイッチが自身の端子間を非導通状態にすることを「回路を遮断する」と呼ぶ。
【００５９】
カメラボディ１００の端子部２５は、アクセサリー４００の端子部４２３と電気的に接続可能である。端子部２５は、符号Ｔｐ１から符号Ｔｐ１２で示される複数の端子を含む（図４参照）。本実施形態の説明において、シュー座１５の端子部２５の各端子を、端子の並び順を示す番号を付して、区別する場合がある。この番号は、端子の配列方向（Ｘ軸方向）の一方側（＋Ｘ側）から他方側（−Ｘ側）に向って昇順する番号である。例えば、端子部２５の複数の端子のうち、最も＋Ｘ側に配置された端子を１番目の端子と呼び、最も−Ｘ側に配置された端子を１２番目の端子と呼ぶ。
【００６０】
図４及び図７に示すように、カメラボディ１００の端子部２５における各端子は、次のように割り付けられる。
【００６１】
端子部２５において、１１番目の端子（以下、電源端子Ｔｐ１１という）と１２番目の端子（以下、電源端子Ｔｐ１２という）は、それぞれ、カメラボディ１００内の電池ＢＡＴからの電力ＰＷＲをアクセサリー４００側に供給する端子である。
【００６２】
１番目の端子（以下、接地端子Ｔｐ１という）と、２番目の端子（以下、接地端子Ｔｐ２という）は、それぞれ、電源端子Ｔｐ１１及び電源端子Ｔｐ１２に対応する接地端子である。接地端子Ｔｐ１及び接地端子Ｔｐ２は、電位が電力ＰＷＲの基準電位になる端子である。また接地端子Ｔｐ１及び接地端子Ｔｐ２は、電力ＰＷＲを利用するカメラボディ１００内の回路（負荷部３０の重負荷部）用の接地端子である。
【００６３】
３番目の端子（以下、基準電位端子Ｔｐ３という）と５番目の端子（以下、基準電位端子Ｔｐ５という）は、電位が基準電位ＳＧＮＤ（シグナルグランド）になる端子である（基準電位端子、即ち、信号の授受を行うための基準となる電位となる端子である）。また、基準電位端子Ｔｐ３及び基準電位端子Ｔｐ５は、カメラボディ１００内の回路（カメラ制御部１７０、電源部３２、負荷部３０の軽負荷部）用の接地端子である。
【００６４】
４番目の端子（以下、同期信号端子Ｔｐ４という）は、アクセサリー４００側で生成する通信用クロック信号である同期信号（クロック信号）ＣＬＫがアクセサリー４００から入力される端子である。
【００６５】
６番目の端子（以下、通信信号端子Ｔｐ６という）は、カメラ側データ（各種コマンドを含む）を含む通信信号ＤＡＴＡをアクセサリー４００側に出力する端子でもあり、且つその逆に、アクセサリー４００側の各種情報（アクセサリー４００の固有情報や設定情報など）を含む通信信号ＤＡＴＡがアクセサリー４００側から入力される端子でもある。
【００６６】
７番目の端子（以下、起動状態検出端子Ｔｐ７という）は、シュー座１５に対してコネクター４２０が装着された状態であり且つアクセサリー起動状態を示す（換言すれば、アクセサリー４００が起動して機能できる起動状態（機能可能状態）を示す）起動検出レベル（電気的なＬレベル）ＤＥＴを、アクセサリー４００側が提供しているか否かを検出するための端子である。
【００６７】
８番目の端子（以下、発光制御信号端子Ｔｐ８という）は、アクセサリー４００の閃光発光部４３０と照明光発光部４３５の少なくとも一方の発光を制御する発光制御（発光指令）信号Ｘをアクセサリー４００に対して出力する端子である。発光制御（発光指令）信号Ｘは、ひらたく言えば、閃光発光部４３０または照明光発光部４３５に対して発光開始を指示する制御指令である。
【００６８】
９番目の端子（以下、通信制御信号端子Ｔｐ９という）は、カメラ１０からアクセサリー４００に対して通信を始める際に通信制御（通信開始）信号Ｃｓをカメラ１０からアクセサリー４００に対して出力する端子である。この通信制御信号Ｃｓは、前述の通信信号端子Ｔｐ６を介したカメラ１０とアクセサリー４００との間のＤＡＴＡ通信の通信開始タイミングを定める信号である。
【００６９】
１０番目の端子（以下、オープン端子Ｔｐ１０という）は、電力と信号の双方が供給されない端子であり、いわゆるオープン端子である。このオープン端子Ｔｐ１０は、システムの将来的な機能拡張のために予備的に設けられている端子である。
【００７０】
また、上記の端子配列において、電源端子Ｔｐ１１及び電源端子Ｔｐ１２は、端子部２５の複数の端子の配列方向（Ｘ軸方向）において、一方側（−Ｘ側）に偏らせて配置されている。換言すると、電源端子Ｔｐ１１及び電源端子Ｔｐ１２は、端子部２５の１２個の端子配列において、一方の端部（電源端子Ｔｐ１２側）に寄せて配置されている。電源端子Ｔｐ１１及び電源端子Ｔｐ１２は、端子部２５の１２個の端子配列において、一方の端部（電源端子Ｔｐ１２側）から順に並べて配置されている。
接地端子Ｔｐ１及び接地端子Ｔｐ２は、端子部２５の複数の端子の配列方向（Ｘ軸方向）において、他方側（＋Ｘ側）に偏らせて、配置されている。換言すると、接地端子Ｔｐ１及び接地端子Ｔｐ２は、端子部２５の１２個の端子配列において、他方の端部（電源端子Ｔｐ１１及び電源端子Ｔｐ１２の配置側とは反対側の端部、即ち、接地端子Ｔｐ１側）に寄せて配置されている。接地端子Ｔｐ１及び接地端子Ｔｐ２は、端子部２５の１２個の端子配列において、他方の端部（電源端子Ｔｐ１側）から順に並べて配置されている。
【００７１】
このように、上記の端子配列において、電源端子と接地端子とのうちの少なくとも何れか一方の端子は、端子部２５の１２個の端子の配列方向における一方の端に順に並べられている複数の端子を含む。なお、一方の端子に対する他方の端子は、一方の端子と同様に形成してもよい。
【００７２】
電源端子は、例えば、電源端子Ｔｐ１１及び電源端子Ｔｐ１２を含み、端子部２５の１２個の端子の配列方向における一方の端に順に並べられている。この電源端子Ｔｐ１１及び電源端子Ｔｐ１２は、互いに電気的に接続されている。
接地端子は、例えば、接地端子Ｔｐ１及び接地端子Ｔｐ２を含み、端子部２５の１２個の端子の配列方向における他方の端に順に並べられている。この接地端子Ｔｐ１及び接地端子Ｔｐ２は、互いに電気的に接続されている。
【００７３】
オープン端子Ｔｐ１０は、端子部２５の１２個の端子配列において、電源端子Ｔｐ１１と通信制御信号端子Ｔｐ９との間に配置されている。オープン端子Ｔｐ１０をこの位置に配置することによって、信号通信系で使用する端子（Ｔｐ４、Ｔｐ６、Ｔｐ８、Ｔｐ９）やアクセサリー４００の起動状態を検出する起動状態検出端子Ｔｐ７を、電源端子Ｔｐ１１、Ｔｐ１２から離間させることができる。
【００７４】
また、上記の端子配列において、通信制御端子Ｔｐ９の、オープン端子Ｔｐ１０とは反対側の隣には、発光制御信号端子Ｔｐ８が配置されている。この発光制御信号端子Ｔｐ８の、通信制御端子Ｔｐ９とは反対側の隣には起動状態検出端子Ｔｐ７が配置されている。すなわち、発光制御信号端子Ｔｐ８は、起動状態検出端子Ｔｐ７と通信制御信号端子Ｔｐ９とに挟まれるように配置されている。
【００７５】
また、上記の端子配列において、起動状態検出端子Ｔｐ７の、発光制御信号端子Ｔｐ８とは反対側の隣には、通信信号端子Ｔｐ６が配置されている。すなわち、起動状態検出端子Ｔｐ７は、通信信号端子Ｔｐ６と発光制御信号端子Ｔｐ８とに挟まれるように、配置されている。
【００７６】
また、上記の端子配列において、通信信号端子Ｔｐ６の、起動状態検出端子Ｔｐ７とは反対側の隣には、基準電位端子Ｔｐ５が配置されている。すなわち、通信信号端子Ｔｐ６は、基準電位端子Ｔｐ５と起動状態検出端子Ｔｐ７とに挟まれるように、配置されている。
【００７７】
上記の端子配列において、基準電位端子Ｔｐ５の、通信信号端子Ｔｐ６とは反対側の隣には、同期信号端子Ｔｐ４が配置されている。この同期信号端子Ｔｐ４の、基準電位端子Ｔｐ５とは反対側の隣にはもう一つの基準電位端子Ｔｐ３が配置されている。すなわち、同期信号端子Ｔｐ４は、２つの基準電位端子（Ｔｐ３とＴｐ５）の間に挟まれるように、配置されている。
そして基準電位端子Ｔｐ３の、同期信号端子Ｔｐ４とは反対側の隣には、接地端子Ｔｐ２が配置されている。すなわちＧＮＤ関係の３つの端子（基準電位端子Ｔｐ３と２つの接地端子Ｔｐ１，Ｔｐ２）が端子配列の一方の端部近傍において偏って配置されている。
【００７８】
なお、端子部２５の各端子に入力される信号、各端子が出力する信号の詳細については、後述する。
【００７９】
カメラ制御部１７０は、端子部２５及び端子部４２３を介して、アクセサリー４００と通信してアクセサリー４００を制御するための制御信号を、アクセサリー４００に供給する。本実施形態において、カメラ制御部１７０がアクセサリー４００に供給する制御信号は、アクセサリー４００における発光部４２５の発光を制御する発光制御信号Ｘ、通信信号ＤＡＴＡ、及びカメラ１０とアクセサリー４００との間の通信タイミングを定める通信制御信号Ｃｓである。
【００８０】
カメラ制御部１７０は、図６に示した不揮発性メモリー１６０とバッファメモリー１６５の少なくとも一方に記憶されている情報を読み出して、読み出した情報をアクセサリー制御部４４０へ送信する。カメラ制御部１７０は、アクセサリー制御部４４０から受信した情報を不揮発性メモリー１６０とバッファメモリー１６５の少なくとも一方に記憶させる。
【００８１】
不揮発性メモリー１６０に記憶されている情報は、カメラ１０の初期状態を示すカメラ初期状態情報、及びカメラの設定状態を示すカメラ設定状態情報を含む。カメラ制御部１７０は、カメラ初期状態情報又はカメラ設定状態情報に含まれる各種の情報のうちの少なくとも１つの情報を、アクセサリー制御部４４０へ送信することができる。
【００８２】
次に、図７を参照してカメラ１０における各構成要素の接続関係について説明する。以下の説明における電池ＢＡＴは、電池収納部１１０に収納された状態とする。電池ＢＡＴの正極は、電源線４０（ＰＷＲ）を介して、電源スイッチ３１の一端に接続されている。電源スイッチ３１の他端は、負荷部３０の重負荷部の電源端子に接続されている。負荷部３０の重負荷部の接地端子は、接地線４１（ＰＧＮＤ）を介して、電池収納部１１０に収納された電池ＢＡＴの負極に接続されている。
【００８３】
また、電池ＢＡＴの正極は、電源線４０を介して、電源部３２の入力端子に接続されている。電源部３２の第１出力端子は、負荷部３０の軽負荷部の電源端子に接続されている。負荷部３０の軽負荷部の接地端子は、接地線４２（ＳＧＮＤ）を介して、電池ＢＡＴの負極に接続されている。また、電源部３２の第２出力端子は、カメラ制御部１７０の電源端子に接続されている。第２出力端子の電位は、第１出力端子の電位と異なっている。カメラ制御部１７０の接地端子は、接地線４２（ＳＧＮＤ）を介して、電池ＢＡＴの負極に接続されている。
【００８４】
接地端子Ｔｐ１は、接地線４３（ＧＮＤ）を介して、電池ＢＡＴの負極に接続されている。接地端子Ｔｐ２は、接地端子Ｔｐ１とは並列に、接地線４３を介して電池ＢＡＴの負極に接続されている。基準電位端子Ｔｐ３は、接地線４２を介して、電池ＢＡＴの負極に接続されている。基準電位端子Ｔｐ５は、基準電位端子Ｔｐ３とは並列に、接地線４２を介して電池ＢＡＴの負極に接続されている。なお、本実施形態のカメラ１０のグランドは、いわゆる一点グランド（一点アース）を採用している。
【００８５】
同期信号端子Ｔｐ４、通信信号端子Ｔｐ６、起動状態検出端子Ｔｐ７、発光制御信号端子Ｔｐ８、及び通信制御信号端子Ｔｐ９は、それぞれ、信号線を介してカメラ制御部１７０に接続されている。オープン端子Ｔｐ１０は、カメラ制御部１７０、電源線４０、接地線４１、接地線４２、及び接地線４３等の他の回路と絶縁されている。
通信信号端子Ｔｐ６に接続しているラインにはプルアップ抵抗が設けられている。このプルアップ抵抗は電源部３２の出力側に電気的に接続されている。このため通信信号端子Ｔｐ６における電位（レベル）は、アクセサリー４００の装着前及びアクセサリー４００との通信開始前にＨレベルに維持される。なお、起動状態検出端子Ｔｐ７に接続しているラインにも、上記通信信号端子Ｔｐ６と同様に、プルアップ抵抗が設けられている。
【００８６】
電源端子Ｔｐ１１は、アクセサリー電源制御部３３の第１端子に接続されている。電源端子Ｔｐ１２は、電源端子Ｔｐ１１と並列に、アクセサリー電源制御部３３の第１端子に接続されている。アクセサリー電源制御部３３の第２端子は、電源線４０を介して、電池ＢＡＴの正極に接続されている。アクセサリー電源制御部３３は、その制御端子にカメラ制御部１７０から入力される制御信号によって、電池ＢＡＴから電源端子Ｔｐ１１と電源端子Ｔｐ１２への電力供給を遮断することができる。
【００８７】
次に、図７を参照して、アクセサリー４００側の構成について説明する。本実施形態のアクセサリー４００は、カメラ１０から供給される電力ＰＷＲによって動作する。アクセサリー４００は、アクセサリー４００において消費される電力を供給する電源がアクセサリー４００側に搭載されていない場合に、カメラ１０から供給される電力ＰＷＲによってアクセサリー４００の各構成要素を機能させることができる。
【００８８】
アクセサリー４００は、閃光発光部４３０、照明光発光部４３５、アクセサリー制御部４４０、不揮発性メモリー４４５、第１電源部（電源部１）４５０−１、及び、第２電源部（電源部２）４５０−２を備える。本アクセサリー４００は、電池を内蔵できないものとする。
【００８９】
閃光発光部４３０は、閃光光源４３１及び充電部４３２を備える。閃光光源４３１は、キセノン管など周知の閃光照明光源を備える。
【００９０】
充電部４３２は、カメラボディ１００から供給された電圧を昇圧する昇圧回路部（昇圧部とも称す）と、その昇圧回路部で昇圧された電圧に基づいて閃光光源４３１を発光させるのに必要な電力を蓄積可能な蓄積回路部（蓄積部／コンデンサ／又はキャパシタ）とを備える。充電部４３２は、蓄積部（蓄積回路部）に蓄積された電力を閃光光源４３１に供給することによって、閃光光源４３１を発光させる。
【００９１】
充電部４３２は、アクセサリー制御部４４０から供給される信号に従って、充電部４３２の蓄積部への充電を開始又は停止する。充電部４３２は、蓄積部を充電する充電処理中に蓄積部の電極間の電圧（充電電圧）を検出することによって、蓄積部が蓄積している充電量（蓄電量、電荷量）を検出することができる。充電部４３２は、検出した蓄積部の充電量を示す情報をアクセサリー制御部４４０に供給する。
【００９２】
なお、充電部４３２は、周知の発光制御回路（例えば周知のＩＧＢＴのように発光の開始・停止を制御する回路）を備えており、アクセサリー制御部４４０から入力された信号に従って、閃光光源４３１を撮影タイミングに同期させて発光させること、及び閃光光源４３１の発光量を制御することができる。
【００９３】
照明光発光部４３５は、照明光光源駆動部４３６及び照明光光源４３７を備える。本実施形態の照明光光源４３７は、連続照明光を発光可能な発光ダイオード（ＬＥＤ）等の固体光源を備える。照明光光源駆動部４３６は、照明光光源４３７に電流を供給することによって、照明光光源４３７を発光させる。もちろん照明光光源４３７は、照明光光源駆動部４３６によって間欠的に電流が供給されることにより、連続照明光ばかりでなく照明光を間欠的に発光することも可能である。照明光光源駆動部４３６は、アクセサリー制御部４４０の制御により、照明光光源４３７を撮影タイミングに同期させて発光させる。照明光光源駆動部４３６は、アクセサリー制御部４４０から入力された信号に従って、照明光光源４３７を発光させる時間（点灯時間）を制御する。
【００９４】
本実施形態において、閃光発光部４３０が発する光を閃光と称し、閃光発光部４３０が閃光を発する機能を閃光発光機能と称すことがある。また、照明光発光部４３５が発する光を照明光と称し、照明光発光部４３５が照明光を発する機能を照明発光機能と称すことがある。
【００９５】
第１電源部（電源部１）４５０−１は、カメラ１０から供給された電力の電圧を安定化（定電圧制御）する定電圧回路を備える。第１電源部４５０−１は、定電圧回路によって電圧が安定化された電力を、第２電源部（電源部２）４５０−２及び照明光発光部４３５へ供給することができる。第１電源部４５０−１は、基準電位線４８０（ＳＧＮＤ）に接続されている。第２電源部４５０−２は、第１電源部４５０−１から供給された電力から、アクセサリー制御部４４０用の電力を生成する。第２電源部４５０−２も、基準電位線４８０（ＳＧＮＤ）に接続されている。
【００９６】
不揮発性メモリー４４５は、アクセサリー４００に電力が供給されない状態でも情報を保持しておくことができる。不揮発性メモリー４４５は、記憶しているデータを書き換え可能なメモリーと、記憶しているデータを書き換え不能なメモリー（例えばＲＯＭ）の少なくとも一方を含む。不揮発性メモリー４４５は、アクセサリー制御部４４０を動作させるプログラムや、アクセサリー４００の状態（初期状態及び、アクセサリー制御部４４０内のメモリーに現在設定されている様々なアクセサリーの設定状態）を示す情報、カメラ１０から取得したカメラの状態（初期状態及び設定状態）を示す情報等の情報を記憶する。
【００９７】
アクセサリー制御部４４０は、不揮発性メモリー４４５に記憶されたプログラムに基づいてアクセサリー４００の構成要素の動作を制御するＣＰＵと、ＡＳＩＣ等の電子部品とを備える。アクセサリー制御部４４０は、端子部４２３及び端子部２５を介して、カメラ制御部１７０と通信する。アクセサリー制御部４４０は、不揮発性メモリー４４５に記憶されているアクセサリー初期状態情報又はアクセサリー設定状態情報に含まれる各種の情報のうちの少なくとも１つの情報を、カメラ制御部１７０へ送ることができる。また、アクセサリー制御部４４０は、カメラ制御部１７０から受信した情報を、不揮発性メモリー４４５に記憶させる。
【００９８】
アクセサリー制御部４４０は、カメラ制御部１７０から供給された制御信号に基づいて、アクセサリー４００の構成要素を制御する。アクセサリー制御部４４０は、カメラ制御部１７０から供給された発光制御信号Ｘに従って、閃光発光部４３０又は照明光発光部４３５を発光させる発光制御を行う。閃光発光部４３０を発光させる発光制御において、アクセサリー制御部４４０は、閃光光源４３１がカメラ側の撮影タイミングと同期して発光するように、充電部４３２を制御する。照明光発光部４３５を発光させる発光制御において、アクセサリー制御部４４０は、照明光光源４３７が撮影タイミングと同期して発光するように、照明光光源駆動部４３６を制御する。
また、アクセサリー制御部４４０は、後述する複数の検査信号端子にそれぞれ電気的に接続している複数のテスト用信号端子と、アクセサリー４００の検査を行う検査部４４０ｔとを備える。検査部４４０ｔは、テスト用信号端子の状態、又は、外部から設定された制御状態に応じて、アクセサリー制御部４４０の動作状態を、通常動作モードと検査モードとの間で切り替える。テスト用信号端子の状態に応じて動作状態を切り替える場合には、アクセサリー制御部４４０のテスト用信号端子が、予め定められた所定時間より長く、所定の論理状態に維持されているか否かを識別することで、モード切り替えを行う。例えば、アクセサリー制御部４４０のテスト用信号端子（その端子のレベル）が、所定の論理状態（例えば、Ｈレベル）に上記所定時間（例えば１秒から数秒）以上維持されていることを識別すると、アクセサリ（アクセサリ制御部４４０）は検査モードに選択設定される。一方、アクセサリー制御部４４０のテスト用信号端子（その端子のレベル）が、上記所定時間未満しか前述の所定の論理状態を維持されていなければ、アクセサリは通常動作モードに選択設定される。
また、検査モード時には、テスト用信号端子を介して所定の信号（検査用入力信号、検査制御信号、検査結果出力信号など）が、例えば後述する検査装置９００との間で入出力される。
なお、検査モード時に検査される内容として次のようなものがある。本実施形態のアクセサリー４００は照明装置であるため、照明動作に関する検査が主である。例えば、照明装置４００が発光指令を受けて実際に発光するか否かを検査する発光検査がある。これは後述の検査装置９００から照明装置４００に発光コマンドを送信し、照明装置のメインコンデンサーの減り具合に関する情報（充電残量など）を照明装置４００から検査装置９００が受信することで、実際に発光したか否かを検査する。またこれ以外にも、照明装置４００内の充電部に異常がないか否かを、充電に要する時間をモニターすることで検査する（例えば検査装置９００から充電電圧を送って充電を開始し、何秒で充電完了を示す信号を受信するかによって検査する）充電時間検査、或いは照明装置４００に設けられたイルミネーターやインジケーターなどの点灯/消灯検査（検査装置９００から照明装置４００に点灯、消灯コマンドを送って、点灯、消灯を示す情報が照明装置から受信されるか否かを確認する検査）、或いは照明装置４００から照明装置内の記憶部に記憶されている各種動作情報（発光回数などの発光履歴情報や、異常動作があった場合のエラー状態やエラー箇所を示す動作エラー情報など）を情報取得する情報取得検査などがある。
【００９９】
次に、アクセサリー４００の端子部４２３について説明する。図５及び図７において示したように、端子部４２３は、アクセサリー４００がカメラ１０に装着されている場合に、カメラ１０の端子部２５と電気的に接続される。端子部４２３は、符号Ｔｓ１から符号Ｔｓ１２で示される複数（１２個）の端子（カメラと電気的に接続するカメラ用端子）を含み、さらに、符号Ｔｓ７ｔから符号Ｔｓ９ｔで示される複数（３個）の検査信号端子（検査用端子）を含む。ここでは、次に説明する端子の並び順を示す番号は、端子の配列方向（Ｘ軸方向）の一方側（＋Ｘ側）から他方側（−Ｘ側）に向って昇順する番号であるものとする。
【０１００】
なお、これら複数の端子（カメラ用端子）Ｔｓ１〜Ｔｓ１２と検査信号端子（検査用端子）Ｔｓ７ｔ〜Ｔｓ９ｔは、それぞれ、カメラ１０（又はアクセサリー４００の状態を検査する、後述する検査装置９００(図９参照)）に装着される方向とほぼ平行な方向（＋Ｙ方向）に延びた線形状（ライン形状）の部分を含む（図５参照）。そして、これら複数の端子Ｔｓ１〜Ｔｓ１２は、ライン形状の先端部近傍（＋Ｙ方向側）に形成された接触部、換言すればシュー座１５が備える端子Ｔｐ１〜Ｔｐ１２と接触する部分において、カメラ１０側の対応する各端子（Ｔｐ１〜Ｔｐ１２）に物理的に接触して且つ電気的接続するように形成されている。また、これら複数の検査信号端子Ｔｓ７ｔ〜Ｔｓ９ｔは、ライン形状の先端部近傍（＋Ｙ方向側）に形成された接触部において、検査時に接続される装置（例えば、アクセサリー４００の状態を検査する検査装置９００(図９参照)）側の対応する各端子（Ｔｐ７ｔ〜Ｔｐ９ｔ（図９、図１０参照））に物理的に接触して且つ電気的接続するように形成されている。
ただし、カメラ１０がアクセサリー４００に対する検査を検査信号端子Ｔｓ７ｔ〜Ｔｓ９ｔを介して行わない場合には、これら複数の検査信号端子Ｔｓ７ｔ〜Ｔｓ９ｔに対応する端子として、検査信号端子Ｔｓ７ｔ〜Ｔｓ９ｔのライン形状の先端部近傍（＋Ｙ方向側）に形成された接触部に応じた位置にシュー座１５における端子を設けなくてもよい。
本実施形態に示されるカメラ１０においては、これら複数の検査信号端子Ｔｓ７ｔ〜Ｔｓ９ｔに対応させた端子を、カメラ１０に設けられたシュー座１５には設けられていないものとして説明する。これにより、検査信号端子Ｔｓ７ｔ〜Ｔｓ９ｔは、カメラ１０側の対応する各端子（Ｔｐ１〜Ｔｐ１２）に物理的に接触しないように設けられており、上記端子を介して電気的接続が形成されることは無い。なお、検査信号端子Ｔｓ７ｔ〜Ｔｓ９ｔは、カメラ１０側の対応する各端子（Ｔｐ１〜Ｔｐ１２）に物理的に接触するように設けた場合においては、上記端子を介して電気的接続が形成されることもある。
【０１０１】
また、これらの端子Ｔｓ１〜Ｔｓ１２と検査信号端子Ｔｓ７ｔ〜Ｔｓ９ｔは、それぞれ、先端部近傍に形成された接触部が、図中の−Ｚ方向(カメラ側の対応する各接点に対して押し付けられる方向)に付勢される板バネ構造となっている。
【０１０２】
端子部４２３における各端子の機能は、次のように割り付けられる。先に端子部４２３の各端子Ｔｓ１〜Ｔｓ１２について説明する。ここで、この端子部４２３の各端子Ｔｓ１〜Ｔｓ１２は、図３、４にて既述したカメラ側の端子部２５の各端子（Ｔｐ１〜Ｔｐ１２）に対応して設けられているものである。そして端子部４２３の各端子の機能についても、上述した端子部２５の各端子の機能と対応付けられるものである。このため本実施形態の説明では、上記にて端子部２５に関して既述した説明との重複を避けるため、各端子の端子番号１〜１２について、カメラ側の端子部２５の各端子と対応する端子の端子番号を同じ番号で記載することで、各端子の機能や配置について重複する内容については、その説明を簡略化または割愛する。
【０１０３】
端子部４２３において、電源端子Ｔｓ１１と電源端子Ｔｓ１２はそれぞれ、カメラ１０から電力ＰＷＲが供給される端子である。接地端子Ｔｓ１と接地端子Ｔｓ２は、電源端子Ｔｓ１１及び電源端子Ｔｓ１２に対応する接地端子であり、電位が電力ＰＷＲの基準電位（グランド）になる端子である。
【０１０４】
基準電位端子Ｔｓ３と基準電位端子Ｔｓ５の何れか一方の端子は、電位が信号の授受を行うための基準電位（シグナルグランド）になる端子である。また、基準電位端子Ｔｓ３及び基準電位端子Ｔｓ５のうち何れか一方の端子の電位が基準電位ＳＧＮＤ（シグナルグランド）になった場合に、上記の何れか一方の端子は、アクセサリー４００内の回路（アクセサリー制御部４４０、第１電源部４５０−１、第２電源部４５０−２などの負荷部３０の軽負荷部）用の接地端子となる。なお、基準電位端子Ｔｓ３及び基準電位端子Ｔｓ５のうち、電位が基準電位ＳＧＮＤ（シグナルグランド）になる何れか一方の端子の電位は、カメラボディ１００に接続した場合に、カメラボディ１００内の回路（カメラ制御部１７０、電源部３２、負荷部３０の軽負荷部）用の接地端子の電位に応じた電位になる。
【０１０５】
同期信号端子Ｔｓ４は、通信用クロック信号である同期信号（クロック信号）ＣＬＫをカメラ１０に対して出力する端子である。
【０１０６】
通信信号端子Ｔｓ６は、既述したようなカメラ側の通信データを含む通信信号ＤＡＴＡがカメラ１０側から入力されたり、或いはアクセサリー側の通信信号ＤＡＴＡをカメラ１０に対して出力したりする端子である。
【０１０７】
起動状態提供端子Ｔｓ７は、既述の起動検出レベルＤＥＴ（Ｌレベル／ＳＧＮＤによる基準電位）をカメラ１０に提供する端子である。
【０１０８】
発光制御信号端子Ｔｓ８は、既述の発光制御信号（発光指令信号）Ｘがカメラ１０から入力される端子である。
【０１０９】
通信制御信号端子Ｔｓ９は、既述の通信制御信号（通信起動信号）Ｃｓがカメラ１０から入力される端子である。
【０１１０】
また、電源端子Ｔｓ１１と通信制御信号端子Ｔｓ９との間には、オープン端子Ｔｓ１０が配置されている。
続いて、検査信号端子Ｔｓ７ｔ〜Ｔｓ９ｔについて説明する。
検査信号端子Ｔｓ７ｔ〜Ｔｓ９ｔは、アクセサリー４００の検査を行う検査時に用いられる検査信号端子である。アクセサリー４００の検査は、例えば、アクセサリー４００の検査を行う検査装置９００（図９参照）にアクセサリー４００を接続して行われる。この検査装置９００は、検査信号端子Ｔｓ７ｔ〜Ｔｓ９ｔを介して検査を制御するための検査制御信号を入力したり、検査結果を出力させたりする。
【０１１１】
図８を参照し、端子Ｔｓ１〜Ｔｓ１２と検査信号端子Ｔｓ７ｔ〜Ｔｓ９ｔの配列について説明する。
図８は、検査信号端子Ｔｓ７ｔ〜Ｔｓ９ｔの配列を示す図である。この図８は、端子４３２をＺ軸方向（図１）から見た場合の平面図である。
この図８に示されるように、これら１２個の端子Ｔｓ１〜Ｔｓ１２についての各端子の配列については、既述した端子部２５の各端子Ｔｐ１〜Ｔｐ１２にそれぞれ呼応するものである。また、端子Ｔｓ１〜Ｔｓ１２と検査信号端子Ｔｓ７ｔ〜Ｔｓ９ｔについての各端子の配列について、基準とする端子Ｔｓ１〜Ｔｓ１２についての各端子の配列を先に説明する。そして、検査信号端子Ｔｓ７ｔ〜Ｔｓ９ｔについての各端子の配列を、端子Ｔｓ１〜Ｔｓ１２についての各端子の配列を説明した後に説明する。
【０１１２】
最初に、給電及び主たる信号用の端子として割り付けられる端子Ｔｓ１〜Ｔｓ１２について、各端子の配列について説明する。
電源端子Ｔｓ１１及び電源端子Ｔｓ１２は、端子部４２３の端子配列において、一方の端部側（電源端子Ｔｓ１２側）に寄せて配置されている。電源端子Ｔｓ１１及び電源端子Ｔｓ１２は、端子部４２３の１２個の端子Ｔｓ１〜Ｔｓ１２の配列において、一方の端部側（電源端子Ｔｓ１２側）から順に並べて配置されている。
接地端子Ｔｓ１及び接地端子Ｔｓ２は、端子部４２３の端子配列において、他方の端部（電源端子Ｔｓ１１及び電源端子Ｔｓ１２の配置側とは反対側の端部、即ち、接地端子Ｔｐ１側）に寄せて配置されている。接地端子Ｔｓ１及び接地端子Ｔｓ２は、端子部４２３の１２個の端子配列において、他方の端部（電源端子Ｔｓ１側）から順に並べて配置されている。
このように、上記の端子配列において、電源端子と接地端子とのうちの少なくとも何れか一方の端子は、端子部４２３の１２個の端子の配列方向における一方の端に順に並べられている複数の端子を含む。
【０１１３】
電源端子は、例えば、電源端子Ｔｓ１１及び電源端子Ｔｓ１２を含み、端子部４２３の１２個の端子の配列方向における一方の端に順に並べられている。この電源端子Ｔｓ１１及び電源端子Ｔｓ１２は、互いに電気的に接続されている。
接地端子は、例えば、接地端子Ｔｓ１及び接地端子Ｔｓ２を含み、端子部４２３の１２個の端子の配列方向における他方の端に順に並べられている。この接地端子Ｔｓ１及び接地端子Ｔｓ２は、互いに電気的に接続されている。
このように、電源端子及び接地端子において、それぞれの端子を互いに電気的に接続して、複数の端子を経由する回路を並列化する。アクセサリー４００においては、複数の端子を経由する回路を並列化することにより、回路を冗長化させて信頼度を高めている。
【０１１４】
オープン端子Ｔｓ１０は、端子部４２３の端子配列において、電源端子Ｔｓ１１と、通信制御信号端子Ｔｓ９との間に配置されている。
【０１１５】
発光制御信号端子Ｔｓ８は、起動状態提供端子Ｔｓ７の隣の主たる信号用の端子として配置されており、且つ起動状態提供端子Ｔｓ７と通信制御信号端子Ｔｓ９との間に挟まれるように配置されている。
【０１１６】
通信信号端子Ｔｓ６は、起動状態提供端子Ｔｓ７の隣の主たる信号用の端子として配置されている。よって起動状態提供端子Ｔｓ７は、通信信号端子Ｔｓ６と発光制御信号端子Ｔｓ８とに挟まれるように、配置されている。
【０１１７】
基準電位端子Ｔｓ５は、通信信号端子Ｔｓ６の隣の主たる信号用の端子として配置されている。よって通信信号端子Ｔｓ６は、基準電位端子Ｔｓ５と起動状態提供端子Ｔｓ７とに挟まれるように配置されている。
【０１１８】
同期信号端子Ｔｓ４は、基準電位端子Ｔｓ５の隣の主たる信号用の端子として配置されている。また、基準電位端子Ｔｓ３は、同期信号端子Ｔｓ４の隣の主たる信号用の端子として配置されている。よって同期信号端子Ｔｓ４は、基準電位端子Ｔｓ３と基準電位端子Ｔｓ５とに挟まれるように配置されている。
基準電位端子Ｔｓ３の、同期信号端子Ｔｓ４とは反対側には接地端子Ｔｓ２が配置されている。
【０１１９】
次に、検査信号端子Ｔｓ７ｔ〜Ｔｓ９ｔについての各端子の配列について説明する。検査信号端子Ｔｓ７ｔ〜Ｔｓ９ｔは、基準とする端子Ｔｓ１〜Ｔｓ１２に対して、端子Ｔｓ１〜Ｔｓ１２のうちの一部の隣り合う端子の間に挟まれるように配置される。
端子部４２３においては、端子Ｔｓ１〜Ｔｓ１２と検査信号端子Ｔｓ７ｔ〜Ｔｓ９ｔとをあわせた１５個の端子が、端子の配列方向（Ｘ軸方向）に並べて配置されている。
より具体的な配置の一例を示す。例えば、検査信号端子Ｔｓ９ｔは、端子Ｔｓ９に並べて配置され、且つ端子Ｔｓ９と端子Ｔｓ８との間に挟まれるように配置されている。検査信号端子Ｔｓ８ｔは、端子Ｔｓ８に並べて配置され、且つ端子Ｔｓ８と端子Ｔｓ７との間に挟まれるように配置されている。検査信号端子Ｔｓ７ｔは、端子Ｔｓ７に並べて配置され、且つ端子Ｔｓ７と端子Ｔｓ６との間に挟まれるように配置されている。
【０１２０】
このように各検査信号端子は、データ信号端子Ｔｓ６、起動状態提供端子Ｔｓ７、信号入力端子Ｔｓ８、及び、通信制御信号端子Ｔｓ９のうちの何れか２つの端子の間に配置される。なお、検査信号端子は、データ信号端子Ｔｓ６、起動状態提供端子Ｔｓ７、信号入力端子Ｔｓ８、及び、通信制御信号端子Ｔｓ９のうちの少なくとも何れか２つの端子の間に配置されるものであってもよい。
【０１２１】
また、このように各検査信号端子は、データ信号端子Ｔｓ６、起動状態提供端子Ｔｓ７、信号入力端子Ｔｓ８、及び、通信制御信号端子Ｔｓ９のうちの何れか２つの端子と隣り合って配置される。なお、検査信号端子は、データ信号端子Ｔｓ６、起動状態提供端子Ｔｓ７、信号入力端子Ｔｓ８、及び、通信制御信号端子Ｔｓ９のうちの少なくとも何れか２つの端子と隣り合って配置されるものであってもよい。
【０１２２】
また、このように各検査信号端子は、データ信号端子Ｔｓ６、起動状態提供端子Ｔｓ７、信号入力端子Ｔｓ８、及び、通信制御信号端子Ｔｓ９のうちの何れか２つの端子に挟まれて配置される。なお、検査信号端子は、データ信号端子Ｔｓ６、起動状態提供端子Ｔｓ７、信号入力端子Ｔｓ８、及び、通信制御信号端子Ｔｓ９のうちの少なくとも何れか２つの端子に挟まれて配置されるものであってもよい。
【０１２３】
また、このように各検査信号端子は、データ信号端子Ｔｓ６、起動状態提供端子Ｔｓ７、信号入力端子Ｔｓ８、及び、通信制御信号端子Ｔｓ９のうちの何れか２つの端子に挟まれて配置される。なお、各検査信号端子は、データ信号端子Ｔｓ６、起動状態提供端子Ｔｓ７、信号入力端子Ｔｓ８、及び、通信制御信号端子Ｔｓ９のうちの少なくとも何れか２つの端子に挟まれて配置されるものであってもよい。
【０１２４】
なお、検査信号端子は、上記のクロック端子Ｔｓ４、データ信号端子Ｔｓ６、起動状態提供端子Ｔｓ７、信号入力端子Ｔｓ８、及び、通信制御信号端子Ｔｓ９の各信号端子、電源端子Ｔｓ１１とＴｓ１２、及び、接地端子Ｔｓ１とＴｓ２のうちの何れかの端子の隣りに配置されるものであってもよい。
【０１２５】
次に、図７を参照して、アクセサリー４００における各構成要素の接続関係について説明する。
【０１２６】
接地端子Ｔｓ１と接地端子Ｔｓ２は、図７に示す接続パターンを介して接続されている。これら接地端子Ｔｓ１と接地端子Ｔｓ２は、アクセサリー４００がカメラ１０に接続されると、カメラ１０側の端子Ｔｐ１，Ｔｐ２を介して、カメラ１０側の接地線４３に接続される。この接地端子Ｔｓ１及び接地端子Ｔｓ２は、アクセサリー４００側の、電力ＰＷＲを利用する回路（充電部４３２）用の接地端子であり、アクセサリー４００側において、供給される電圧の基準電位となる端子であり、また充電電圧の基準電位となる端子である。
【０１２７】
電源端子Ｔｓ１１は、電源線４８１に接続されている。電源端子Ｔｓ１２は、電源端子Ｔｓ１１と並列に、電源線４８１に接続されている。この電源線４８１は、２つの電源端子（電源端子Ｔｓ１１及びＴｓ１２）を介してカメラ１０から供給された大電流を流せるよう、回路基板上において比較的太い配線パターン（Ｔｓ１１に直接接続している配線パターンの線幅と、Ｔｓ１２に直接接続している配線パターンの線幅とを足し合わせた線幅以上の線幅を持つ配線パターン）にする。なお、カメラ１０側のアクセサリー電源制御部３３に接続している配線パターンも、アクセサリー４００側と同様に、比較的太い配線パターンにする。
【０１２８】
基準電位端子Ｔｓ３と基準電位端子Ｔｓ５は、図７に示すように接続用ラインを介して接続されている。そしてこれら基準電位端子Ｔｓ３と基準電位端子Ｔｓ５は、基準電位線４８０（ＳＧＮＤ）に並列に接続されている。この基準電位線４８０は、アクセサリー４００がカメラ１０に接続されると、基準電位端子Ｔｓ３及びＴｓ５と、カメラ１０側の端子Ｔｐ３及びＴｐ５とを介して、カメラ１０側の基準電位線（ＳＧＮＤ）４２に接続される。この基準電位端子Ｔｓ３、基準電位端子Ｔｓ５は、アクセサリー４００内の各回路（不揮発性メモリー４４５、第１電源部４５０−１、第２電源部４５０−２、アクセサリー制御部４４０、照明光発光部４３５）において、信号の授受を行うための基準電位となる端子である。
【０１２９】
なお、この基準電位線４８０（ＳＧＮＤ）に対しては、接地端子Ｔｓ１と接地端子Ｔｓ２も、接続ライン４９０を介して並列に接続されている。ただし接地端子Ｔｓ１と接地端子Ｔｓ２に接続している接続ライン（接続ライン４９０と接続しているライン）は、接続ライン４９０及び基準電位端子Ｔｓ３，Ｔｓ５に接続しているラインよりも抵抗（インピーダンス）が低いラインになっている。このため充電部４３２を流れた大電流はＳＧＮＤライン（基準電位端子Ｔｓ３，Ｔｓ５）には流れないようになっている。
【０１３０】
なお、基準電位線４８０を流れる電流は、接続ライン４９０を介して接地端子Ｔｓ１，Ｔｓ２に流れるようになっており、接地端子Ｔｓ１，Ｔｓ２はアクセサリー４００内の上記各回路に供給される電圧の基準となり得る。また、本実施形態のアクセサリー４００のグランドは、いわゆる一点グランド（一点アース）を採用している。
【０１３１】
起動状態提供端子Ｔｓ７は、基準電位線４８０（ＳＧＮＤ）を介して、基準電位端子Ｔｓ３に接続されている。
【０１３２】
同期信号端子Ｔｓ４は、信号線を介して、アクセサリー制御部４４０に接続されている。通信信号端子Ｔｓ６は、信号線を介して、アクセサリー制御部４４０に接続されている。通信信号端子Ｔｓ６に接続している信号線にはプルアップ抵抗が設けられている。このプルアップ抵抗は電源部４５０の出力側に電気的に接続されている。このため通信信号端子Ｔｓ６における電位（レベル）は、カメラ１０への装着前及びカメラ１０との通信開始前にＨレベルに維持される。
【０１３３】
通信制御信号端子Ｔｓ９は、信号線を介して、アクセサリー制御部４４０に接続されている。通信制御信号端子Ｔｓ９に接続している信号線にはプルアップ抵抗が設けられている。このプルアップ抵抗は電源部４５０−２の出力側に電気的に接続されている。よって通信信号端子Ｔｓ６における電位（レベル）は、カメラ１０への装着前及びカメラ１０との通信開始前にＨレベルに維持される。
【０１３４】
発光制御信号端子Ｔｓ８は、信号線を介して、アクセサリー制御部４４０に接続されている。発光制御信号端子Ｔｓ８に接続している信号線にはプルアップ抵抗が設けられている。このプルアップ抵抗は電源部４５０−２の出力側に電気的に接続されている。よって通信信号端子Ｔｓ６における電位（レベル）は、カメラ１０への装着前及びカメラ１０との通信開始前にＨレベルに維持される。
【０１３５】
オープン端子Ｔｓ１０は、電源系統と信号系統のいずれにも接続されていない所謂オープン端子である。オープン端子Ｔｓ１０は、アクセサリー制御部４４０、電源線４８１、及び基準電位線４８０等の回路と絶縁されている。
また、検査信号端子Ｔｓ７ｔ〜Ｔｓ９ｔは、信号線を介して、アクセサリー制御部４４０の各テスト用信号端子にそれぞれ接続されている。検査信号端子Ｔｓ７ｔ〜Ｔｓ９ｔにそれぞれ接続している信号線にはプルアップ抵抗(不図示)が設けられている。このプルアップ抵抗は電源部４５０−２の出力側に電気的に接続されている。検査信号端子Ｔｓ７ｔ〜Ｔｓ９ｔは、各信号線にそれぞれ設けられたプルアップ抵抗により、通常動作モード時には、所定の論理レベル（Ｈレベル）に維持される。これにより、アクセサリー制御部４４０は、アクセサリー４００の通常動作モードとして機能することができる。
一方、アクセサリー４００の検査時には、検査のための所定の信号が、この検査信号端子Ｔｓ７ｔ〜Ｔｓ９ｔを介してアクセサリー４００に対して入出力される。検査信号端子Ｔｓ７ｔ〜Ｔｓ９ｔに供給されるテスト信号は、それぞれ接続された信号線を介して、アクセサリー制御部４４０のテスト用信号端子にそれぞれ供給される。又は、アクセサリー制御部４４０をテストした結果は、アクセサリー制御部４４０のテスト用信号端子から出力され、検査信号端子Ｔｓ７ｔ〜Ｔｓ９ｔからそれぞれ出力してもよい。また、検査信号端子Ｔｓ７ｔ〜Ｔｓ９ｔは、アクセサリー制御部４４０の通常動作モードと検査モードとを切り替える制御に用いられる制御信号を供給してもよい。
【０１３６】
閃光発光部４３０の閃光光源４３１における主放電用の第１の電極は充電部４３２に接続されている。主放電用の第２の電極は電源線４８１に接続されている。充電部４３２の電源端子は、電源線４８１に接続されている。充電部４３２の接地端子は、接地端子Ｔｓ１に接続する接地線に接続されている。
【０１３７】
照明光光源駆動部４３６の電源端子は、第１電源部４５０−１に接続されている。照明光光源駆動部４３６の接地端子は、基準電位線４８０に接続されている。照明光光源駆動部４３６の制御端子は、信号線を介して、アクセサリー制御部４４０に接続されている。
照明光光源４３７は、固体光源のアノードが照明光光源駆動部４３６に接続され、固体光源のカソードが、基準電位線４８０に接続されている。
【０１３８】
第１電源部（電源部１）４５０−１の入力端子は、電源線４８１に接続されている。第１電源部４５０−１の接地端子は、基準電位線４８０に接続されている。第１電源部４５０−１の出力端子は、第２電源部（電源部２）４５０−２の入力端子と、照明光光源駆動部４３６とに接続されている。第２電源部４５０−２の出力端子は、アクセサリー制御部４４０の電源端子に接続されている。第２電源部４５０−２の接地端子は、基準電位線４８０に接続されている。
【０１３９】
次に、カメラ１０とアクセサリー４００との接続関係について説明する。端子部２５が備える端子Ｔｐ１〜Ｔｐ１２と、端子部４２３が備える端子Ｔｓ１〜Ｔｓ１２との接続関係について説明する。なお、前述のとおり、カメラ１０における端子部２５は、アクセサリー４００における端子部４２３が備える検査信号端子Ｔｓ７ｔ〜Ｔｓ９ｔに応じた端子を備えていない。それゆえ、本実施形態におけるカメラ１０とアクセサリー４００との接続においては、端子部４２３が備える検査信号端子Ｔｓ７ｔ〜Ｔｓ９ｔから、カメラ１０側への接続はない。
アクセサリー４００がカメラ１０に装着されている状態（以下、装着状態という）において、接地端子Ｔｓ１は、カメラ１０の接地端子Ｔｐ１に接続される。接地端子Ｔｓ２は、装着状態において、カメラ１０の接地端子Ｔｐ２に接続される。そしてこれらアクセサリー４００側の接地端子Ｔｓ１，Ｔｓ２に接続している箇所（充電部４３２の接地端子）は、装着状態において、接地端子Ｔｐ１及び接地端子Ｔｓ１を介した経路と、接地端子Ｔｐ２及び接地端子Ｔｓ２を介した経路との少なくとも一方の経路を介して、接地線４３に接続されて電池ＢＡＴの負極に接続される。そのため、接地端子Ｔｓ１、Ｔｓ２及びそれらに接続している箇所の電位は、装着状態において、電池ＢＡＴの負極の電位に応じた基準電位になる。
【０１４０】
電源端子Ｔｓ１１は、装着状態において、カメラ１０の電源端子Ｔｐ１１に接続される。電源端子Ｔｓ１２は、装着状態において、カメラ１０の電源端子Ｔｐ１２に接続される。アクセサリー電源制御部３３は、装着状態において、電源端子Ｔｐ１１及び電源端子Ｔｓ１１を介した経路と、電源端子Ｔｐ１２及び電源端子Ｔｓ１２を介した経路との少なくとも一方の経路を介して、電源線４８１に接続される。そのため、アクセサリー電源制御部３３は、カメラ制御部１７０の制御に従って、電池ＢＡＴからアクセサリー電源制御部３３に供給された電力ＰＷＲを、電源線４８１を介してアクセサリー４００内の各回路や電気部品に供給することができる。
【０１４１】
基準電位端子Ｔｓ３は、装着状態において、カメラ１０の基準電位端子Ｔｐ３に接続される。基準電位端子Ｔｓ５は、装着状態において、カメラ１０の基準電位端子Ｔｐ５に接続される。基準電位端子Ｔｓ３の電位は、装着状態において、基準電位端子Ｔｐ３の電位に応じた電位（基準電位）になる。
基準電位端子Ｔｓ５は、装着状態において、カメラ１０の基準電位端子Ｔｐ５に接続される。基準電位端子Ｔｓ５の電位は、装着状態において、基準電位端子Ｔｐ５の電位に応じた電位に（基準電位）になる。
【０１４２】
図４に示したように、接地端子Ｔｐ１と接地端子Ｔｐ２と基準電位端子Ｔｐ３は、スライド移動方向（＋Ｙ軸方向）の寸法が他の端子よりも長い。そのため、本実施形態においてカメラ１０にアクセサリー４００を装着する際に、接地端子Ｔｐ１と接地端子Ｔｐ２と基準電位端子Ｔｐ３の３つの端子は、他の端子よりも先にアクセサリー４００の端子部４２３の対応する各端子（接地端子Ｔｓ１、接地端子Ｔｓ２、基準電位端子Ｔｓ３）と接触する。
【０１４３】
起動状態提供端子Ｔｓ７は、アクセサリー４００がカメラ１０に装着された状態において、基準電位線４８０を介して、接地線４２に接続される。そのため、カメラ制御部１７０は、カメラ１０に接続されている状態（以下、第１状態と称す）であるときに、第１状態であることを示す起動検出レベルＤＥＴ（ＳＧＮＤレベル／基準電位レベル／Ｌｏｗレベル／Ｌレベル）を、起動状態提供端子Ｔｓ７及び起動状態検出端子Ｔｐ７を介して検出することができる。また、カメラ制御部１７０は、アクセサリー４００がカメラ１０に装着されていない状態（以下、下記の第２状態と称す）であるときに、第１状態とは電気的にレベルが異なる起動検出レベルＤＥＴを検出することができる。
【０１４４】
同期信号端子Ｔｓ４は、装着状態において、カメラ１０の同期信号端子Ｔｐ４に接続される。すなわち、アクセサリー制御部４４０は、装着状態において、同期信号端子Ｔｐ４及び同期信号端子Ｔｓ４を介して、カメラ制御部１７０に接続される。これにより、アクセサリー制御部４４０は、カメラ制御部１７０と同期通信を行うための同期信号ＣＬＫを、同期信号端子Ｔｓ４及び同期信号端子Ｔｐ４を介して、カメラ制御部１７０へ送信することができる。
【０１４５】
通信信号端子Ｔｓ６は、装着状態において、カメラ１０の通信信号端子Ｔｐ６に接続される。すなわち、アクセサリー制御部４４０は、装着状態において、通信信号端子Ｔｐ６及び通信信号端子Ｔｓ６を介して、カメラ制御部１７０に接続される。そのため、カメラ制御部１７０とアクセサリー制御部４４０は、装着状態において、通信信号端子Ｔｐ６及び通信信号端子Ｔｓ６を介して、シリアルデータ通信を行うことができる。この通信信号端子Ｔｐ６及びＴｓ６はいずれも入力／出力機能を切り替え可能であり、これら両端子間における通信は、通信方向を切り替え可能な双方向通信である。通信信号ＤＡＴＡとして通信されるデータは次のようなものがある。カメラ１０側から出力されるデータとしては、カメラ制御部１７０がアクセサリー４００に処理を実行させる指令（コマンド）や、カメラ１０に関する情報（カメラデータ）などである。一方、アクセサリー４００側から出力されるデータとしては、アクセサリー４００に関する情報（アクセサリー情報）などである。本実施形態において、指令あるいは情報を示すデータを送信（又は受信）することを、単に指令あるいは情報を送信（又は受信）するということがある。なお、通信信号ＤＡＴＡは、カメラ制御部１７０が送信する場合とアクセサリー制御部４４０が送信する場合のいずれにおいても、アクセサリー４００側から出力される同期信号ＣＬＫに同期させて送信される。
【０１４６】
通信制御信号端子Ｔｓ９は、装着状態において、カメラ１０の通信制御信号端子Ｔｐ９に接続される。すなわち、アクセサリー制御部４４０は、装着状態において、通信制御信号端子Ｔｐ９及び通信制御信号端子Ｔｓ９を介して、カメラ制御部１７０に接続される。そのため、カメラ制御部１７０は、通信制御信号端子Ｔｐ９及び通信制御信号端子Ｔｓ９を介して、アクセサリー制御部４４０へ通信制御信号Ｃｓを供給することができる。
【０１４７】
発光制御信号端子Ｔｓ８は、装着状態において、カメラ１０の発光制御信号端子Ｔｐ８に接続される。すなわち、アクセサリー制御部４４０は、装着状態において、発光制御信号端子Ｔｓ８及び発光制御信号端子Ｔｐ８を介して、カメラ制御部１７０に接続される。そのため、カメラ制御部１７０は、撮影タイミングと同期してアクセサリー４００に発光（本発光）を実行させる発光制御信号Ｘを、発光制御信号端子Ｔｐ８及び発光制御信号端子Ｔｓ８を介して、アクセサリー制御部４４０へ供給することができる。アクセサリー制御部４４０は、発光制御信号Ｘに従って、発光制御を行う。
【０１４８】
ところで、一般的にデジタル信号により同期通信を行うカメラシステムは、アクセサリーあるいはカメラの端子部の端子間に伝送する信号にノイズが混入すると通信の品質が低下する場合がある。信号にノイズが混入するような状況において利用される場合、カメラシステムは、カメラとアクセサリーとの間で端子を介して供給される信号がノイズの影響を受けることによって、安定して動作しなくなる可能性がある。カメラシステムは、例えば安定に動作しないことによりユーザーの操作に応答しなくなったり、応答が遅くなったりして、利便性が低下する可能性がある。
【０１４９】
これに対して、本実施形態のアクセサリー４００は、図５及び図８に示したように、端子部４２３の端子が、主たる信号の並び順に従って以下のように配列されている。カメラ１０から電力が供給される電源端子Ｔｓ１１及び電源端子Ｔｓ１２は、１１番目と１２番目とにそれぞれ配置されている。電源端子Ｔｓ１１及び電源端子Ｔｓ１２に対応する接地端子Ｔｓ１及び接地端子Ｔｓ２は、１番目と２番目とにそれぞれ配置されている。カメラ１０とアクセサリー４００との着脱に応じて変化する起動検出レベルＤＥＴをカメラ１０に出力する起動状態提供端子Ｔｓ７は、７番目に配置されている。閃光発光部４３０又は照明光発光部４３５の発光状態を制御する発光制御信号Ｘがカメラ１０から入力される発光制御信号端子Ｔｓ８は、８番目に配置されている。アクセサリー４００を制御する制御信号がカメラ１０と通信する通信信号ＤＡＴＡとして供給される通信信号端子Ｔｐ６は、６番目に配置されている。通信信号ＤＡＴＡに同期する同期信号ＣＬＫをカメラ１０に出力する同期信号端子Ｔｓ４は、４番目に配置されている。カメラ１０アクセサリー４００との通信の通信タイミングを定める通信制御信号Ｃｓがカメラ１０から入力される通信制御信号端子Ｔｓ９は、９番目に配置されている。同期信号端子Ｔｓ４を挟むように、基準電位になる基準電位端子Ｔｓ３が３番目に配置され、基準電位端子Ｔｓ５が５番目に配置されている。
【０１５０】
このように各信号端子を配置することにより、誤作動がなく利便性の高いカメラ１０及びアクセサリー４００を構成することができる。
また、本実施形態によれば、上記の各信号端子について、検査信号端子を挟むようにそれぞれ配置している。これにより、各信号端子間のクロストークを低減することができ、さらに誤作動がなく利便性の高いカメラ１０及びアクセサリー４００を構成することができる。
なお、上記の実施形態においては、検査信号端子の端子数を３個として説明したが、必要な数量に変更してもよい。また、検査信号端子を配置する位置、並びに、上記の各信号の配置は、上記に限られるものではなく、カメラシステム１の誤作動がなく利便性が高くなるようにして、変更することができる。
【０１５１】
ところで、上記のカメラシステム１におけるアクセサリー４００を検査する検査システム１Ｔがある。
検査システム１Ｔにより、アクセサリー４００の検査を行うことにより、アクセサリー４００の状態を容易に検査することができ、アクセサリー４００の可用性を高めることができることから、カメラシステム１の利便性を高めることができるようになる。
以下、図９を参照し、検査システム１Ｔについて説明する。
図９は、本実施形態における検査システムの構成を示すブロック図である。図１から図８と同じ構成には、同じ符号を附す。
この図９に示されるように、検査システム１Ｔは、アクセサリー４００を非検査対象とする検査装置９００を備える。
検査装置９００は、アクセサリー４０のコネクター４２０が挿入された状態で配置されるシュー座１５Ａ（不図示）を備える。シュー座１５Ａは、前述のカメラ１０が備えるシュー座１５（図１から図４参照）と同様の形状を備える。ただし、シュー座１５Ａは、シュー座１５が備える端子部２５（図３、図４）に代え、端子部２５Ａを備える。
端子部２５Ａは、カメラ１０の端子部２５が備える端子Ｔｐ１からＴｐ１２に加え、符号Ｔｐ７ｔからＴｐ９ｔによって示される検査信号用端子を備える。
さらに、検査装置９００は、アクセサリー電源制御部３３Ａ、及び、検査装置制御部１７０Ａを備える。
【０１５２】
アクセサリー電源制御部３３Ａは、アクセサリー４００に対しての給電を遮断する遮断器(スイッチ)である。アクセサリー電源制御部３３Ａは、備える制御端子に入力される制御信号に応じて、上記遮断器(スイッチ)の状態を切り替える。
検査装置制御部１７０Ａは、アクセサリー電源制御部３３Ａの状態の切替制御と、アクセサリー４００が備える機能を制御する。検査装置制御部１７０Ａは、カメラ１０の検査装置制御部１７０が備える機能に加え、アクセサリー制御部４４０が備える４４０ｔを制御する機能を備える。
また、検査装置制御部１７０Ａは、テスト用信号端子を備える。検査装置制御部１７０Ａは、テスト用信号端子を介して、又は、通信による設定をアクセサリー制御部４４０に対して行って、アクセサリー制御部４４０の検査部４４０ｔを制御する。また、検査装置制御部１７０Ａは、検査部４４０ｔを制御して、アクセサリー制御部４４０の動作状態を通常動作モードと検査モードとを切り替えさせる。検査装置制御部１７０Ａは、例えば、テスト用信号端子の状態に応じて動作状態を切り替える場合には、アクセサリー制御部４４０のテスト用信号端子を予め定められた所定時間より長く、所定の論理状態を維持するようにする。例えば、アクセサリー制御部４４０のテスト用信号端子を所定の論理状態（例えば、Ｈレベル）に、上記の所定時間以上長く維持することにより、通常動作モードを選択できる。一方、アクセサリー制御部４４０のテスト用信号端子を上記の所定時間以上長く所定の論理状態を維持いないようにすることにより、検査モードを選択できる。また、検査モード時には、テスト用信号端子を介して所定の信号（検査用入力信号、検査制御信号、検査結果出力信号など）が入出力される。
【０１５３】
次に、検査装置９００における各構成要素の接続関係について説明する。
図示されない電源の正極が、アクセサリー電源制御部３３Ａを介して、端子Ｔｐ１１と端子Ｔｐ１２に接続されている。また、端子Ｔｐ１１と端子Ｔｐ１２に対応する端子Ｔｐ１と端子Ｔｐ２が電源（不図示）の負極に接続され、端子Ｔｐ１と端子Ｔｐ２の電位が、検査装置９００の基準電位になる。また、端子Ｔｐ３とＴｐ５は、端子Ｔｐ１と端子Ｔｐ２と同様に電源の負極に接続される。
検査装置制御部１７０Ａは、信号線を介して、検査装置制御部１７０と同様に端子Ｔｐ４、Ｔｐ６からＴｐ９にそれぞれ接続されている。また、検査装置制御部１７０Ａは、信号線を介して、検査信号端子Ｔｐ７ｔからＴｐ９ｔにそれぞれ接続されている。
【０１５４】
次に、検査装置９００とアクセサリー４００との接続関係について説明する。
前述のとおり、端子部２５Ａは、端子部２５のように、端子部２５が備える端子Ｔｐ１〜Ｔｐ１２を備える。端子部２５Ａは、端子部２５のように、端子部２５が備える端子Ｔｐ１〜Ｔｐ１２と、端子部４２３が備える端子Ｔｓ１〜Ｔｓ１２とがそれぞれ対応して接続される。端子部２５が備える端子Ｔｐ１〜Ｔｐ１２と、端子部４２３が備える端子Ｔｓ１〜Ｔｓ１２との接続は、前述のカメラ１０とアクセサリー４００との接続の説明を参照する。
また、端子部２５Ａは、カメラ１０における端子部２５と異なり、アクセサリー４００における端子部４２３が備える検査信号端子Ｔｓ７ｔ〜Ｔｓ９ｔに対応する端子を備えている。このような端子を備える端子部２５Ａは、端子部２５Ａが備える検査信号端子Ｔｐ７ｔ〜Ｔｐ９ｔと、端子部４２３が備える検査信号端子Ｔｓ７ｔ〜Ｔｓ９ｔとがそれぞれ対応して接続される。
【０１５５】
ここでは、端子部２５Ａが備える検査信号端子Ｔｐ７ｔ〜Ｔｐ９ｔと、端子部４２３が備える検査信号端子Ｔｓ７ｔ〜Ｔｓ９ｔとの接続について説明する。
上記のように、端子部２５Ａが備える検査信号端子Ｔｐ７ｔ〜Ｔｐ９ｔは、検査信号端子Ｔｓ７ｔ〜Ｔｓ９ｔに対応して設けられている。検査信号端子Ｔｐ７ｔ〜Ｔｐ９ｔは、、端子部４２３が備える検査信号端子Ｔｓ７ｔ〜Ｔｓ９ｔにそれぞれ接続される。
このような接続により、検査装置９００の制御部１７０Ａと、アクセサリー４００のアクセサリー制御部４４０とが、端子部２５Ａが備える検査信号端子Ｔｐ７ｔ〜Ｔｐ９ｔと、端子部４２３が備える検査信号端子Ｔｓ７ｔ〜Ｔｓ９ｔとを介して複数の信号線によって並列に接続される。このような接続により、制御部１７０Ａとアクセサリー制御部４４０は、複数の信号線による通信が可能な状態に維持することができる。また、このような接続により、端子Ｔｓ１からＴｓ１２及びＴｐ１からＴｐ１２を介しての通信状態・制御状態と独立させた通信が可能となる。
或は、上記検査信号端子のうち、特定の検査信号端子については、アクセサリー制御部４４０が検出した結果（状態）をアナログ信号のまま出力してもよい。制御部１７０Ａは、アクセサリー制御部４４０が出力するアナログ信号を検出するように、対応する検査信号端子に接続された信号線からの信号を検出し、必要な変換処理を行う。例えば、アクセサリー制御部４４０が検出する状態としては、充電部２２０における充電状態（充電電圧）、照明光光源４３７の駆動電流値、照明光光源４３７の温度などがある。
【０１５６】
次に、図１０を参照し、検査装置９００におけるシュー座２５における検査信号端子Ｔｐ７ｔ〜Ｔｐ９ｔの配列について説明する。
図１０は、検査信号端子Ｔｐ７ｔ〜Ｔｐ９ｔの配列を示す図である。この図１０は、図８と同様に端子４３２（端子２５）をＺ軸方向（図１）から見た場合の平面図である。
この図１０に示されるように、これら３個の検査信号端子Ｔｐ７ｔ〜Ｔｐ９ｔの配列については、既述した端子部４２３の検査信号端子Ｔｓ７ｔ〜Ｔｓ９ｔの配列にそれぞれ呼応するものである。また、端子Ｔｐ１〜Ｔｐ１２と検査信号端子Ｔｐ７ｔ〜Ｔｓｐ３ｔの配列は、端子部４２３の端子Ｔｓ１〜Ｔｓ１２と検査信号端子Ｔｓ７ｔ〜Ｔｓ９ｔの配列に対応するように配置される。端子Ｔｐ１〜Ｔｐ１２と検査信号端子Ｔｐ７ｔ〜Ｔｐ９ｔの配列の詳細は、前述の端子部４２３における端子Ｔｓ１〜Ｔｓ１２と検査信号端子Ｔｓ７ｔ〜Ｔｓ９ｔの配列を参照する。
【０１５７】
以上の実施形態に示したように、検査装置９００は、アクセサリー４００の動作状態を端子部２５Ａ及び端子部４２３に設けられた各検査信号端子を介して接続されることにより、検査装置９００からの制御を容易にすることができ、また、アクセサリー４００の動作状態を容易に且つ速やかに検出することができる。これにより、アクセサリー４００の状態を示す複数の物理量を連続的に、同時に検出することができ、検出した物理量から、アクセサリー４００の状態を容易に検出できる。また、アクセサリー４００の状態を、アクセサリー４００を分解することなく取得できることから、検査工程における検査時間を短縮することができる。更に、組み立てられた状態を維持して検査可能となることから、不具合事象などの検出を容易となる。
【０１５８】
なお、上記の実施形態として示した実施態様のほかの態様としてもよい。
例えば、検査装置９００が、カメラ１０として必要な構成（図６、図７参照）を備えたり、カメラ１０が検査装置９００として必要な構成（図９における端子２５Ａ、制御装置１７０Ａにおける検査機能など）を備えたりすることにより、アクセサリー４００の検査機能を備えるカメラを構成できる。このような検査機能を備えるカメラによれば、アクセサリー４００を装着した状態で、アクセサリー４００の機能を診断することも可能となる。
【０１５９】
また、基準とされる端子Ｔｐ１からＴｐ１２、端子Ｔｓ１からＴｓ１２における各検査信号端子の端子数、並びに、配置する位置を適宜変更してもよい。
また、さらに、電源端子（Ｔｓ１１，Ｔｓ１２、及び、Ｔｐ１１、Ｔｐ１２）や、接地端子（Ｔｓ１、Ｔｓ２、及び、Ｔｐ１、Ｔｐ２）に並べて検査信号端子を配置してもよい。
【０１６０】
また、カメラ１０において、端子Ｔｐ１からＴｐ１２の端子の配列方向の幅を広げて、アクセサリー４００の信号端子（Ｔｓ１からＴｓ１２）のいづれかの端子と、同端子に隣り合う検査信号端子Ｔｓ７ｔからＴｓ９ｔのいづれかの端子の２つの端子と接触するようにしてもよい。２つの端子と接触するようにした場合、信号端子と検査信号端子のそれぞれの信号が干渉しないように、入出力条件や、信号線の処理を行うとよい。或は、２つの端子と接触するようにした場合、対応する信号端子と同じ機能を検査信号端子に与えることによりそれぞれの信号が干渉しないようにすることができることから、カメラ１０にアクセサリー４００が接続された状態において、通常動作モードとなるようにして、それぞれの端子を用いて通常動作モードによる処理を行うこととしてもよい。具体的には、電源端子Ｔｐ１１又はＴｐ１２に接する検査信号端子を動作モードを検出する端子として割り当てることにより、電源が給電されている限り通常動作モードをアクセサリー４００は選択することができる。
【０１６１】
以上のように、カメラ１０、検査装置９００及びアクセサリー４００は、アクセサリー４００を含むカメラシステム１の信頼性を高めることができる。これにより、カメラ１０、検査装置９００及びアクセサリー４００は、誤動作の発生を抑制すること等ができ、カメラシステム１の利便性を高めることができる。また、カメラ１０、シュー座１５、コネクター４２０は、いずれも、上述したような端子配列になっているので、カメラシステム１の利便性を高めることができる。
【０１６２】
なお、電源端子Ｔｐ１１と電源端子Ｔｐ１２のうちの一方の端子は、省略されていてもよい。電源端子Ｔｐ１１と電源端子Ｔｐ１２は、一体化されていてもよい。電源端子Ｔｐ１１と電源端子Ｔｐ１２と同様に、接地端子Ｔｐ１と接地端子Ｔｐ２のうちの一方の端子は、省略されていてもよい。接地端子Ｔｐ１と接地端子Ｔｐ２は、一体化されていてもよい。また、電源端子Ｔｐ１１と電源端子Ｔｐ１２の少なくとも一方を含む電源端子と、接地端子Ｔｐ１と接地端子Ｔｐ２の少なくとも一方を含む接地端子との間に配置される端子は、符号Ｔｐ３から符号Ｔｐ１０で示される端子のうちの１つでもよいし、２以上でもよく、全部でもよい。
【０１６３】
このように、カメラシステム１は、符号Ｔｐ３から符号Ｔｐ９で示される端子が上記のような条件で配置されていることにより、図４等に示した端子配列である場合と同様の理由により、利便性が高いシステムになる。
【０１６４】
なお、本実施形態において、各端子の配置を示す番号は、端子の配列方向（Ｘ軸方向）の一方側（＋Ｘ側）から他方側（−Ｘ側）に向って昇順する番号であるが、他方側（−Ｘ側）から一方側（＋Ｘ側）に向って昇順する番号であってもよい。この場合に、端子部２５の端子配列において、１番目と２番目の端子は、それぞれ、電源端子Ｔｐ１２、電源端子Ｔｐ１１となり、１１番目と１２番目の端子は、それぞれ、接地端子Ｔｐ２、接地端子Ｔｐ１となる。また、上記したようなカメラボディ１００の端子部２５における複数の端子の配列に関する変形は、アクセサリー４００の端子部４２３における複数の端子の配列に適用することができる。
【０１６５】
なお、本実施形態において、図１に示した撮影レンズ２００は、カメラボディ１００に対して着脱可能であるが、カメラボディ１００に対して着脱不能であってカメラボディ１００と一体になっていてもよい。撮影レンズ２００の少なくとも一部は、カメラボディ１００に収容可能でもよい。本実施形態においてカメラ１０は、少なくともカメラボディ１００を備えていればよく、撮影レンズ２００を備えていなくてもよい。すなわち、撮影レンズ２００は、カメラの外部装置（アクセサリー）であって、カメラシステム１の構成要素としてもよい。また、アクセサリー４００は、コネクター４２０とシュー座１５との間にケーブル等を介して電気的に接続可能であって、カメラボディ１００とは別の装置、例えば三脚等に保持されていてもよい。
【０１６６】
なお、本実施形態において、図６に示した電池収納部１１０はカメラボディ１００に内蔵されているが、電池収納部１１０は、カメラボディ１００の外部の装置（アクセサリー）であってもよい。例えば、電池収納部１１０は、カメラボディ１００に外付け可能であってもよい。また、カメラシステム１は、ＡＣアダプター等を介してカメラボディ１００の外部から供給された電力によって、カメラシステム１の構成要素を動作させることもできる。カメラシステム１は、外部からの電力を、電池収納部１１０に収納された電池ＢＡＴから供給される電力と同様に、カメラシステム１の各構成要素に供給することができる。
【０１６７】
なお、本実施形態において、図６に示したメモリー１４０は、カメラボディ１００に内蔵されていてもよいし、カメラボディ１００の外部の装置（アクセサリー）であってもよい。
【０１６８】
このように、カメラシステム１は、例えばユーザーがアクセサリー４００をカメラ１０から取り外そうとした場合に、アクセサリー４００の処理を終了するために必要な処理（上記終了処理）を行うので、アクセサリー４００の設定や履歴が保存できて、利便性が高いシステムである。
【０１６９】
なお、本発明の技術範囲は上記の実施形態に限定されるものではない。上記の実施形態で説明した構成要素のうち少なくとも１つの構成要素は、省略される場合がある。上記の実施形態で説明した各構成要素は、適宜、組み合わせることができる。
【０１７０】
なお、上述のカメラボディ１００、検査装置９００、及び、アクセサリー４００は、内部にコンピュータシステムを有している。そして、各機能部の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリーやＯＳ、周辺機器等のハードウェアを含むものである。
【０１７１】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【０１７２】
１・・・カメラシステム、１０・・・カメラ、１５・・・シュー座（アクセサリーシュー）、２５、２５Ａ・・・端子部、１７０・・・カメラ制御部、１７０Ａ・・・制御部、４００・・・アクセサリー、４２３・・・端子部、４４０、４４０Ａ・・・アクセサリー制御部、９００検査装置、Ｔｐ１・・・接地端子、Ｔｐ２・・・接地端子、Ｔｐ３・・・基準電位端子、Ｔｐ４・・・クロック信号（同期信号）端子、Ｔｐ５・・・基準電位端子、Ｔｐ６・・・通信信号（データ信号）端子、Ｔｐ７・・・起動状態検出端子、Ｔｐ８・・・発光制御信号端子、Ｔｐ９・・・通信制御信号端子、Ｔｐ１０・・・オープン端子、Ｔｐ１１・・・電源端子、Ｔｐ１２・・・電源端子、Ｔｓ１・・・接地端子、Ｔｓ２・・・接地端子、Ｔｓ３・・・基準電位端子、Ｔｓ４・・・クロック信号（同期信号）端子、Ｔｓ５・・・基準電位端子、Ｔｓ６・・・通信信号（データ信号）端子、Ｔｓ７・・・起動状態提供端子、Ｔｓ８・・・発光制御信号端子、Ｔｓ９・・・通信制御信号端子、Ｔｓ１０・・・オープン端子、Ｔｓ１１・・・電源端子、Ｔｓ１２・・・電源端子
【図１】
0005887783.tif 000002
【図２】
0005887783.tif 000003
【図３】
0005887783.tif 000004
【図４】
0005887783.tif 000005
【図５】
0005887783.tif 000006
【図６】
0005887783.tif 000007
【図７】
0005887783.tif 000008
【図８】
0005887783.tif 000009
【図９】
0005887783.tif 000010
【図１０】
0005887783.tif 000011